(57)【特許請求の範囲】
【請求項１】
複数の交差する線状導体で形成された開孔を、複数有する第１のシート状導体と、
前記第１のシート状導体に間隙を空けて対向する平板の第２のシート状導体と、
前記複数の交差する線状導体のうち一の線状導体と平行する線状アンテナを有する無線基板と、を備え、
前記無線基板は、前記線状アンテナに流れる電流の方向と前記一の線状導体の配線方向とが同じになるように、前記第１のシート状導体の主面上に設置され、
前記第１のシート状導体は、前記主面上に設置された無線基板との接触領域のうち、前記一の線状導体を除いた他の線状導体が含まれる領域を除去した除去孔を有する、
通信シート。
【請求項２】
前記線状アンテナは、線状の一部または全部がミアンダラインであり、
前記無線基板は、前記ミアンダラインの中心線と前記一の線状導体とが略重なるように、前記第１のシート状導体の主面上に設置される、
請求項１に記載の通信シート。
【請求項３】
前記線状アンテナは、直線のアンテナパターンであり、
前記無線基板は、前記アンテナパターンと前記一の線状導体とが略重なるように、前記第１のシート状導体の主面上に設置される、
請求項１に記載の通信シート。
【請求項４】
前記通信シートは、さらに、
前記第１及び第２のシート状導体間に誘電体と、
前記除去孔の直下にある、前記誘電体と前記第２のシート状導体とを貫通する貫通孔と、
前記貫通孔のうち、少なくとも前記線状アンテナと対向する開孔部分を前記第２のシート状導体側から被覆する金属板と、
を備えた請求項１から３の何れか１項に記載の通信シート。
【請求項５】
前記金属板は、前記無線基板と前記第２のシート状導体とを前記貫通孔を介して接着する金属テープである、
請求項４に記載の通信シート。
【請求項６】
前記通信シートは、さらに、
前記第２のシート状導体が前記誘電体と接触する面と反対の面に貼り付けられる、前記無線基板に電源供給を行うシート状電池を備える、
請求項４又は５に記載の通信シート。
【請求項７】
前記無線基板は、前記線状アンテナに加えて、該線状アンテナが発信する信号を生成する信号生成部を有し、
前記第１のシート状導体は、前記線状アンテナから発信された信号を、前記一の線状導体から当該通信シート内に伝搬して、前記複数の開孔から近接場に浸出させる、
請求項１から６の何れか１項に記載の通信シート。
【請求項８】
前記第１のシート状導体は、複数の交差する線状導体で形成された開孔を、複数有する格子状である、
請求項１から７の何れか１項に記載の通信シート。
【請求項９】
前記無線基板は、前記線状アンテナからBluetooth（登録商標）Low Energy（ＢＬＥ）に準拠した信号を発信するビーコンである、
請求項１から８の何れか１項に記載の通信シート。
【請求項１０】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、端末装置と、を備える通信システムであって、
前記通信シートは、前記通信シートの近くに配置された展示物のガイダンス情報を特定するためのガイダンス特定情報を含むビーコン信号を発信し、
前記端末装置は、前記通信シートと近接して前記ビーコン信号を受信した場合、前記ガイダンス情報に基づく画像又は音声を出力する、
通信システム。
【請求項１１】
前記通信シートを複数備えるとともに、サーバと、記憶装置と、を更に備え、
前記複数の通信シートのそれぞれは、自通信シートの近くに配置された展示物のガイダンス情報を特定するためのガイダンス特定情報と自通信シートの識別情報とを含むビーコン信号を発信し、
前記記憶装置には、前記複数の通信シートのそれぞれが配置された位置を示す位置情報が記憶されており、
前記端末装置は、前記ビーコン信号を受信した場合、前記ビーコン信号を発信した通信シートの識別情報と前記端末装置の識別情報とを前記サーバに送信し、
前記サーバは、前記端末装置から前記ビーコン信号を発信した通信シートの識別情報と前記端末装置の識別情報とを受信した場合、前記ビーコン信号を発信した通信シートの識別情報と前記端末装置の識別情報と受信時刻を示す時刻情報とが対応付けられた履歴情報を、前記記憶装置に記憶させ、
前記サーバは、前記履歴情報と前記位置情報とに基づいて、前記端末装置が移動した経路を示す情報を出力する、
請求項１０に記載の通信システム。
【請求項１２】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、端末装置と、を備える通信システムであって、
前記通信シートは、前記通信シートが配置された位置を示す位置情報を含むビーコン信号を発信し、
前記端末装置は、前記通信シートと近接して前記ビーコン信号を受信した場合、前記位置情報に基づく画像又は音声を出力する、
通信システム。
【請求項１３】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、端末装置と、サーバと、処理装置と、を備える通信システムであって、
前記通信シートは、ビーコン信号を発信し、
前記端末装置は、前記通信シートと近接して前記ビーコン信号を受信した場合、前記端末装置の識別情報を前記サーバに送信し、
前記サーバは、前記端末装置から前記端末装置の識別情報を受信した場合、前記端末装置の識別情報に対応付けられた情報を前記処理装置に送信する、
通信システム。
【請求項１４】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、端末装置と、サーバと、を備える通信システムであって、
前記通信シートは、対象設備に設けられ、前記対象設備の識別情報を含むビーコン信号を発信し、
前記サーバは、前記対象設備の識別情報を前記端末装置に送信し、
前記端末装置は、前記サーバから前記対象設備の識別情報を受信した後、前記通信シートと近接して前記ビーコン信号を受信した場合、前記対象設備を使用するための制御信号を出力する、
通信システム。
【請求項１５】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、端末装置と、処理装置と、を備える通信システムであって、
前記通信シートは、前記処理装置に設けられ、前記処理装置の識別情報を含むビーコン信号を発信し、
前記端末装置は、前記通信シートと近接して前記ビーコン信号を受信した場合、前記処理装置の識別情報と前記端末装置の識別情報とを前記処理装置に送信し、
前記処理装置は、前記端末装置から前記処理装置の識別情報を受信した場合、前記端末装置の識別情報に基づく処理を実行する、
通信システム。
【請求項１６】
複数の交差する線状導体で形成された開孔を、複数有する第１のシート状導体と、前記第１のシート状導体に間隙を空けて対向する平板の第２のシート状導体と、前記複数の交差する線状導体のうち一の線状導体と平行する線状アンテナを有する無線基板と、を備えた通信シートと、第１の端末装置と、第２の端末装置と、を備える通信システムであって、
前記通信シートは、前記通信シートの識別情報を含むビーコン信号を発信し、
前記第１の端末装置は、前記通信シートと近接して前記ビーコン信号を受信した場合、前記通信シートの識別情報を前記第２の端末装置に送信する、
通信システム。
【発明の詳細な説明】
【技術分野】
【０００１】
この発明は、通信シート及び通信システムに関する。
【背景技術】
【０００２】
近時、３次元空間へ電波を放射せずに、２次元のシート面上に電波を局在化する通信シートが実用化されている。この通信シートでは、開孔を有するシートから近接場に漏れ出す電波（いわゆるエバネッセント波）を利用して２次元通信を行う。
【０００３】
この通信シートに関して、特許文献１には、電波の送信源と通信シートとの間のインターフェースとなる専用コネクタを開示している。特許文献１では、送信源から送信された電波が同軸ケーブルを伝わり、シート面上に設置された専用コネクタを介して電波が通信シートに伝搬する。
【先行技術文献】
【特許文献】
【０００４】
【特許文献１】特開２００７−８２１７８号公報
【発明の概要】
【発明が解決しようとする課題】
【０００５】
ところで、電波の送信源を、３次元空間に間欠的に信号を発信（ブロードキャスト）するビーコンなどの無線発信器とすることが考えられる。一般的に、無線発信器はＳＯＣ（System-on-a-chip）化されており、無線発信に必要な回路やアンテナが一つの基板上に集約され小型化されている。
この小型化された無線基板を通信シートと一体化して、見かけ上完全にケーブルレスで２次元通信を行うことが考えられる。
【０００６】
しかし、無線基板は一般的に、信号を空間にブロードキャストすることを企図しており、仕様上、通信シートとの組み合わせに適していない。すなわち、単に無線基板を通信シートに組み込んだだけでは設置態様に応じて電波の伝搬効率や損失に大きな差がでる。このため、電波が通信シート内を満遍なく伝搬せず、シート面上に漏れ出す電波にムラがでる。
【０００７】
一方で、物理的に無線基板と通信シートとを連結するための専用コネクタを開発するには工数・費用がかかる。また、専用コネクタを開発してもそれを無線基板に適用するには各種の技術基準適合証明（いわゆる技適）を取得する必要があり、さらに工数・費用がかかる。
【０００８】
このようなことから、電波の送信源を組み込む通信シートにおいて、工数・費用を抑えつつムラなく電波をシート面上に浸出させることが望まれている。
【０００９】
そこで、本発明は、上述した事情に鑑みてなされたものであり、工数・費用を抑え、かつ、ムラなく電波をシート面上に浸出する通信シート等を提供することを目的とする。
【課題を解決するための手段】
【００１０】
本発明の第１の観点に係る通信シートは、
複数の交差する線状導体で形成された開孔を、複数有する第１のシート状導体と、
前記第１のシート状導体に間隙を空けて対向する平板の第２のシート状導体と、
前記複数の交差する線状導体のうち一の線状導体と平行する線状アンテナを有する無線基板と、
を備える。
【００１１】
また、前記無線基板は、前記線状アンテナに流れる電流の方向と前記一の線状導体の配線方向とが同じになるように、前記第１のシート状導体の主面上に設置され、
前記第１のシート状導体は、前記主面上に設置された無線基板との接触領域のうち、前記一の線状導体を除いた他の線状導体が含まれる領域を除去した除去孔を有してもよい。
【００１２】
また、前記線状アンテナは、線状の一部または全部がミアンダラインであり、
前記無線基板は、前記ミアンダラインの中心線と前記一の線状導体とが略重なるように、前記第１のシート状導体の主面上に設置されてもよい。
【００１３】
また、前記線状アンテナは、直線のアンテナパターンであり、
前記無線基板は、前記アンテナパターンと前記一の線状導体とが略重なるように、前記第１のシート状導体の主面上に設置されてもよい。
【００１４】
また、前記通信シートは、さらに、
前記第１及び第２のシート状導体間に誘電体と、
前記除去孔の直下にある、前記誘電体と前記第２のシート状導体とを貫通する貫通孔と、
前記貫通孔のうち、少なくとも前記線状アンテナと対向する開孔部分を前記第２のシート状導体側から被覆する金属板と、
を備えてもよい。
【００１５】
また、前記金属板は、前記無線基板と前記第２のシート状導体とを前記貫通孔を介して接着する金属テープにしてもよい。
また、前記通信シートは、さらに、
前記第２のシート状導体が前記誘電体と接触する面と反対の面に貼り付けられる、前記無線基板に電源供給を行うシート状電池を備えてもよい。
また、前記無線基板は、前記線状アンテナに加えて、該線状アンテナが発信する信号を生成する信号生成部を有し、
前記第１のシート状導体は、前記線状アンテナから発信された信号を、前記一の線状導体から当該通信シート内に伝搬して、前記複数の開孔から近接場に浸出させるとよい。
【００１６】
また、前記第１のシート状導体は、複数の交差する線状導体で形成された開孔を、複数有する格子状でもよい。
また、前記無線基板は、前記線状アンテナからBluetooth（登録商標） Low Energy（ＢＬＥ）に準拠した信号を発信するビーコンでもよい。
【００１７】
本発明の第２の観点に係る通信システムは、
前記通信シートと、端末装置と、を備える通信システムであって、
前記通信シートは、前記通信シートの近くに配置された展示物のガイダンス情報を特定するためのガイダンス特定情報を含むビーコン信号を発信し、
前記端末装置は、前記通信シートと近接して前記ビーコン信号を受信した場合、前記ガイダンス情報に基づく画像又は音声を出力する。
【００１８】
前記通信シートを複数備えるとともに、サーバと、記憶装置と、を更に備え、
前記複数の通信シートのそれぞれは、自通信シートの近くに配置された展示物のガイダンス情報を特定するためのガイダンス特定情報と自通信シートの識別情報とを含むビーコン信号を発信し、
前記記憶装置には、前記複数の通信シートのそれぞれが配置された位置を示す位置情報が記憶されており、
前記端末装置は、前記ビーコン信号を受信した場合、前記ビーコン信号を発信した通信シートの識別情報と前記端末装置の識別情報とを前記サーバに送信し、
前記サーバは、前記端末装置から前記ビーコン信号を発信した通信シートの識別情報と前記端末装置の識別情報とを受信した場合、前記ビーコン信号を発信した通信シートの識別情報と前記端末装置の識別情報と受信時刻を示す時刻情報とが対応付けられた履歴情報を、前記記憶装置に記憶させ、
前記サーバは、前記履歴情報と前記位置情報とに基づいて、前記端末装置が移動した経路を示す情報を出力してもよい。
【００１９】
本発明の第３の観点に係る通信システムは、
前記通信シートと、端末装置と、を備える通信システムであって、
前記通信シートは、前記通信シートが配置された位置を示す位置情報を含むビーコン信号を発信し、
前記端末装置は、前記通信シートと近接して前記ビーコン信号を受信した場合、前記位置情報に基づく画像又は音声を出力する。
【００２０】
本発明の第４の観点に係る通信システムは、
前記通信シートと、端末装置と、サーバと、処理装置と、を備える通信システムであって、
前記通信シートは、ビーコン信号を発信し、
前記端末装置は、前記通信シートと近接して前記ビーコン信号を受信した場合、前記端末装置の識別情報を前記サーバに送信し、
前記サーバは、前記端末装置から前記端末装置の識別情報を受信した場合、前記端末装置の識別情報に対応付けられた情報を前記処理装置に送信する。
【００２１】
本発明の第５の観点に係る通信システムは、
前記通信シートと、端末装置と、サーバと、を備える通信システムであって、
前記通信シートは、対象設備に設けられ、前記対象設備の識別情報を含むビーコン信号を発信し、
前記サーバは、前記対象設備の識別情報を前記端末装置に送信し、
前記端末装置は、前記サーバから前記対象設備の識別情報を受信した後、前記通信シートと近接して前記ビーコン信号を受信した場合、前記対象設備を使用するための制御信号を出力する。
【００２２】
本発明の第６の観点に係る通信システムは、
前記通信シートと、端末装置と、処理装置と、を備える通信システムであって、
前記通信シートは、前記処理装置に設けられ、前記処理装置の識別情報を含むビーコン信号を発信し、
前記端末装置は、前記通信シートと近接して前記ビーコン信号を受信した場合、前記処理装置の識別情報と前記端末装置の識別情報とを前記処理装置に送信し、
前記処理装置は、前記端末装置から前記処理装置の識別情報を受信した場合、前記端末装置の識別情報に基づく処理を実行する。
【００２３】
本発明の第７の観点に係る通信システムは、
前記通信シートと、第１の端末装置と、第２の端末装置と、を備える通信システムであって、
前記通信シートは、前記通信シートの識別情報を含むビーコン信号を発信し、
前記第１の端末装置は、前記通信シートと近接して前記ビーコン信号を受信した場合、前記通信シートの識別情報を前記第２の端末装置に送信する。
【発明の効果】
【００２４】
本発明によれば、工数・費用を抑え、かつ、ムラなく電波をシート面上に浸出させることができる。
【図面の簡単な説明】
【００２５】
【図１】本発明の実施形態に係る通信シートの構成を説明するための図であり、（Ａ）は表平面図、（Ｂ）はＡ−Ａ線の断面図、（Ｃ）は裏平面図、である。
【図２】無線基板のミアンダラインを拡大して示した斜視図である。
【図３】比較例に係る通信シートの表平面図である。
【図４】実施形態に係る通信シートの電界強度分布を示す図である。
【図５】比較例に係る通信シートの電界強度分布を示す図である。
【図６】金属テープがない場合の通信シートの電界強度分布を示す図である。
【図７】金属テープの有無における最大利得の変化を示す図である。
【図８】変形例１に係る通信シートの構成を説明するための図であり、（Ａ）は表平面図、（Ｂ）はＡ−Ａ線の断面図、である。
【図９】（Ａ）〜（Ｃ）は、変形例２から４に係る通信シートのバリエーションを示した断面図である。
【図１０】変形例５に係る通信シートの構成を説明するための図である。
【図１１】通信シートの第１の使用例を説明するための図である。
【図１２】通信シートの第２の使用例を説明するための図である。
【図１３】通信シートの第４の使用例を説明するための図である。
【図１４】通信シートの第５の使用例を説明するための図である。
【図１５】通信シートの第１１の使用例を説明するための図である。
【図１６】通信シートの第１２の使用例を説明するための図である。
【発明を実施するための形態】
【００２６】
以下、この発明の実施形態に係る通信シートについて図１（Ａ）から（Ｃ）を参照して説明する。(Ａ）は表平面図を、（Ｂ）はＡ−Ａ線の断面図を、（Ｃ）は裏平面図を、それぞれ示す。なお、表裏は天地に相当し、表平面は天から見た図を、裏平面は地から見た図をいう。
【００２７】
図１（Ａ）に示すように、この通信シート１００は、第１のシート状導体１０を備える。この第１のシート状導体１０は、複数の交差する線状導体１１で形成された開孔を、複数有する格子状（いわゆるメッシュ状）である。
【００２８】
図中に示すように、この第１のシート状導体１０の主面上には、無線基板２０が設置される。この無線基板２０は、Bluetooth（登録商標） Low Energy（ＢＬＥ）に準拠した２．４ＧＨｚ帯の信号を発信するビーコンである。この無線基板２０は、信号を発信する（電波を送信する）線状アンテナとして、ミアンダライン２１を備える。このミアンダライン２１は、複数の線状導体１１のうち、一の線状導体１１ａと平面視で重なる。また、無線基板２０は、ミアンダライン２１に流れる電流の方向（図中破線矢印部分）と一の線状導体１１ａの配線方向とが同じになるように、第１のシート状導体１０の主面上に設置される。
【００２９】
ここで、「重なる」とは、間隙を空けて重なる場合（この実施形態では、無線基板２０の厚み分、間隙を空けて重なる場合）の他、間隙を空けずに重なる場合も含む。なお、この実施形態では、「信号」と「電波」は同義であるものとし、適宜何れかを用いて説明する。また、無線基板２０と第１のシート状導体１０との接触領域のうち、ミアンダライン２１と同方向で重なる線状導体を符号１１ａで、線状導体１１ａを除いた他の線状導体を１１ｂ〜１１ｄで、それぞれ示す。
【００３０】
図中に示すように、第１のシート状導体１０は、無線基板２０との接触領域のうち、線状導体１１ａを除いた他の線状導体１１ｂ〜１１ｄが含まれる領域を除去した除去孔１３を有する。そして、外部にむき出しになる無線基板２０を保護し、かつ、意匠性を高める観点から金属以外の材質（例えば、プラスチックなど）でできた、無線基板２０を被覆・固定する固定部材１２を備える。説明の便宜上、無線基板２０を透過表示するが、実際は固定部材１２に被覆されて目視できない。なお、線状導体１１の本数は、縦方向に１０、横方向に７、である場合を例にとって説明することとし、特段線状導体１１ａ〜１１ｄの何れかを特定して説明する必要がなければ、単に線状導体１１と称す。
【００３１】
さて、図１（Ｂ）を参照して説明すると、通信シート１００は、メッシュ状の第１のシート状導体１０と、第１のシート状導体１０に間隙を空けて対向する平板の第２のシート状導体３０と、の間に誘電体６０を備えた３層構造である。シート材料（第１及び第２のシート状導体の材料）は導電体であれば任意だが、この実施形態では一例としてアルミである。寸法（縦×横×厚さ）は、一例として、２０ｃｍ×３０ｃｍ×３２μｍである。ここで、「シート状」とは、２次元の面としての広がりを持ち、厚さが使用する周波数の波長よりも十分に薄いことを意味する。
【００３２】
一方、誘電体６０は、高周波基板（特に、ＢＬＥの２．４ＧＨｚ帯）に適した低誘電率の材料が好ましく、この実施形態では一例として発泡ポリオレフィンで構成する。寸法は、一例として、２０ｃｍ×３０ｃｍ×約１ｍｍである。
また、第１のシート状導体１０の主面上には、水をこぼした場合などに備えてＰＥＴ（ポリエチレンテレフタラート）などの保護フィルム７０が貼り付けられている。このため、無線基板２０は、正確には保護フィルム７０を介して第１のシート状導体１０の主面上に設置される。ただし、この保護フィルム７０は必須ではない。なお、第１のシート状導体１０の主面とは、誘電体６０と接触する接触面と反対の面をいう。
【００３３】
また、無線基板２０は、ミアンダライン２１に加えて、そのミアンダライン２１が発信する信号を生成するチップ（信号生成部）２２を備える。このチップ２２は、無線発信を制御するためのプロセッサ（制御用マイコン）とその周辺回路（水晶発信器やクロック回路など）をワンチップ化したものであって、保護用のシールドケースで被覆される。図中に示すように、通信シート１００は、除去孔１３の直下にある、誘電体６０と第２のシート状導体３０とを貫通する貫通孔９０を備える。この貫通孔９０は、線状導体１１ａを除いた線状導体１１ｂ〜１１ｄが含まれる領域をくり貫いた孔であって、第１のシート状導体１０のみくり貫いた除去孔１３を含む。
【００３４】
図中に示すように、無線基板２０は、チップ２２が貫通孔９０に挿通された状態で、固定部材１２の天井面と接着して固定される。接着の手法は任意だが例えば固定部材１２と無線基板２０との間に接着剤を塗布するか、あるいは両面テープを貼付すればよい。
【００３５】
また、通信シート１００は、貫通孔９０のうち、少なくともミアンダライン２１と対向する開孔部分を第２のシート状導体３０側から被覆する金属テープ４０を備える。この金属テープ４０は、接着性を有する金属板であって例えば銅テープである。金属テープ４０は、無線基板２０と第２のシート状導体３０とを貫通孔９０を介して接着する。
【００３６】
さて、以下では無線基板２０の設置態様について詳述する。
無線基板２０は、（ｉ）ミアンダライン２１に流れる電流の方向と線状導体１１ａの配線方向とが同じであって、かつ、（ｉｉ）ミアンダライン２１と線状導体１１ａとが重なるように、第１のシート状導体１０の主面上に設置される。
【００３７】
（ｉｉ）について、図２の拡大斜視図が示すように、無線基板２０は、ミアンダライン２１の中心線２３と線状導体１１ａとが略重なるように、第１のシート状導体１０の主面上に設置される。ここで、中心線２３とは、ミアンダライン２１が、複数の幅（横）方向ライン（配線）と奥行き（縦）方向ライン（配線）とが交互に接続されて蛇行するように形成されたものであるところ、全部の幅方向ラインの中間点を通る線を意味し、通常は直線となる。
また、（ｉ）について、図中破線矢印で示したミアンダライン２１に流れる電流の方向と、線状導体１１ａの配線方向と、が同じになる。なお、局所的な電流の方向は蛇行する実線矢印となるが、大局的に見れば電流の方向は破線矢印となる。
【００３８】
図２に示すように、電流の方向（図中実線矢印）において電流が打ち消しあわずに電波が放射する放射部（図中太線部分）から等距離の中心線２３は、線状導体１１ａと間隙を空けて略重なることになる。なお、「略」とは、完全に重ならずとも多少のずれ（例えば、数ｍｍ程度のずれ）を許容する意味である。また、実際電流は交流のため進行方向が逆になるが、逆になっても放射部の原理は変わらない。加えて、逆になっても電流の方向と線状導体１１ａの配線方向とが同じである点は変わらない。
【００３９】
ここで、無線基板２０からシート状導体１０への信号伝達は平行平板間（ミアンダライン２１と線状導体１１ａ間）の電磁界結合によって行われる。このため、少なくとも、図１（Ｂ）に示すように、ミアンダライン２１は線状導体１１ａと平行である必要がある。ここで、「平行」とは、対向する面同士（線状アンテナと線状導体１１ａ）がパラレルであることに加え、線状アンテナ（ミアンダライン２１）の電流の方向と線状導体１１ａの配線方向とが同方向であることを含む意味である。つまり、方向が異なる（例えば、線状アンテナと線状導体１１ａとが交差するような）場合は意識的に除外する。
【００４０】
また、電界磁結合による結合力を上げる観点から、両者（ミアンダライン２１と線状導体１１ａ）の重なる面積が広く、かつ、両者の距離が短いことが好ましい。このため、この実施形態では、完全に重ねるのが難しいミアンダライン２１について、放射部から等距離にある仮想的な中心線２３を線状導体１１ａに重ねるようにしている。
【００４１】
また、線状導体１１ａの近くに他の導電体があると電界分布が変わって、ミアンダライン２１と線状導体１１ａと間の電磁界結合の結合力が下がる。つまり、電磁界結合が線状導体１１ａ以外の他の線状導体１１ｂ〜１１ｄとも発生して、ミアンダライン２１と線状導体１１ａとの結合力が下がる。結合力が下がると、線状導体１１ａと第２のシート状導体３０間で電界が生じないおそれがあり、通信シート１００内での電波の伝搬効率が下がる。このため、この実施形態では、ミアンダライン２１と重なる線状導体１１ａに電界をトラップ（一極集中）するため、ノイズとなり得る他の線状導体１１ｂ〜１１ｄを除去した除去孔１３を設けるようにしている。
【００４２】
また、図１（Ｂ）に示すように、金属テープ４０により、無線基板２０と第２のシート状導体３０とが接着される。これは伝達された電波が貫通孔９０から漏れて外に逃げるのを防ぐためである。特に、ミアンダライン２１の直下付近の貫通孔９０から電波が逃げやすい。このため、この実施形態では、シールドとなる第２のシート状導体３０に代えて金属テープ４０を用い、少なくともミアンダライン２１と対向する開孔部分を被覆するようにしている。これにより、金属テープ４０が第２のシート状導体３０と同様、シールドかつグランドとして機能する。
【００４３】
このように、ミアンダライン２１と線状導体１１ａとが同方向で平行かつ重なるように無線基板２０を第１のシート状導体１０の主面上に設置する。それに加えて、他の線状導体１１ｂ〜１１ｄを取り除いた貫通孔９０を設ける。このようにすることで、ミアンダライン２１と線状導体１１ａが強結合し、第１のシート状導体１０は、ミアンダライン２１から発信された信号を、線状導体１１ａから通信シート１００内に伝搬して、複数の開孔から近接場に浸出させる。
【００４４】
すなわち、通信シート１００内において信号が第１及び第２のシート状導体１０，３０間を伝搬していきメッシュ状の開孔から染み出す（侵出する）。このことは、換言すると、ＢＬＥのマイクロ波が第１のシート状導体１０と第２のシート状導体３０との間を伝わっていき、その際、マイクロ波が開孔のあるシート状導体１０表面ごく近傍（近接場）に漏れ出す。この近接場の領域が図１（Ｂ）の破線で示す浸出領域８０である。これにより、無線基板２０から発信される信号を浸出領域８０に局在化させる。なお、無線基板２０が発信した信号は、第２のシート状導体３０側ではシールドされるので第１のシート状導体１０側に信号が浸出する。
【００４５】
以上、無線基板２０の好適な設置態様と信号伝達の仕組みについて説明した。なお、無線基板２０の設置態様につき、少なくともミアンダライン２１と線状導体１１ａとが平行であれば足り、両者が重なる点と貫通孔９０を設ける点は必須ではない。この点については後で詳述する。
【００４６】
さて、図１（Ｂ）に戻って、通信シート１００は、第２のシート状導体３０が誘電体６０と接触する面と反対の面に貼り付けられる、無線基板２０に電源供給を行うシート状電池５０を備える（図１（Ｃ）参照）。このシート状電池５０は、例えば厚さ約０．４ｍｍのシート状のリチウムイオン電池であって、図１（Ｃ）に示すように、電源供給のために無線基板２０の両極（プラスとマイナス）の端子に導線５１で接続される。
【００４７】
この電源供給の接続のため、金属テープ４０を貫通孔９０全てを覆うように貼ることはできないが、これは配線の引き回しの問題であって、電源供給ができる限り貫通孔９０全域を覆うように金属テープ４０を貼ってもよい。なお、シート状電池５０の固定の手法は任意だが、例えば、テープによりシート状電池５０を第２のシート状導体３０に貼り付ければよい。
【００４８】
以上、図１及び図２を参照して、通信シート１００の構成について説明した。以下では、比較例を用いて電化強度分布の違いについて説明する。図３は、比較例に係る通信シート１１０の表平面図である。図３に示すように、第１のシート状導体１０の主面上に設置された無線基板２０は、ミアンダライン２１と線状導体１１ａとが同方向（電流の方向と配線方向が同じ方向）で平行だが、重ならない。この場合の電界強度分布の違いを図４及び図５に示す。図４は図１の実施形態に係る通信シート１００の電界強度分布を、図５は図３の比較例に係る通信シート１１０の電界強度分布を、それぞれ示す。図４及び図５何れにも、電界強度分布を示した平面図に加えて、電界強度分布を示したＢ−Ｂ線の断面図（下図）と、電界強度分布を示したＣ−Ｃ線の断面図（左図）と、を示す。電界強度（Ｖ／ｍ）は色が濃い程強くなる。
【００４９】
図４，図５の平面図から、通信シート１００の方が通信シート１１０よりもシート面上に強く電波が侵出していることが分かる。図５の通信シート１１０では、無線基板２０の設置箇所から離れた右上において、電波が減衰している。電界強度を全開孔の四頂点で抽出して平均を求めると、定量的には、図４は３３５．４（Ｖ／ｍ）、図５は２６１．１（Ｖ／ｍ）であった。このため、通信シート１００の方が通信シート１１０より３０％程度電界強度が強いことが分かる。
【００５０】
また、左図と下図から、空間への電波の放射は、通信シート１００の方が通信シート１１０よりも低減されていることが分かる。特に、通信シート１１０の場合、金属テープ４０を貼っているにもかかわらず電波が貫通孔９０から放射されているのが分かる。
このようなことから、ミアンダライン２１を線状導体１１ａに重ねた方が、両者が強結合することが分かる。ただし、図５の通信シート１１０の電界強度分布から分かるように、ミアンダライン２１と線状導体１１ａとを重ねずとも両者が平行であれば電波は通信シート１１０内を伝搬する。このため、重ねること自体は必須ではない。
【００５１】
次に、図６を参照して、金属テープの有無に応じて変わる電界強度分布について説明する。図６は、金属テープ４０がない通信シート１２０の電界強度分布を示す図である。通信シート１２０が通信シート１００と異なる点は、金属テープ４０がない点である。
【００５２】
図６を参照すると、通信シート１２０の平面の電界強度分布は、図４の通信シート１００の電界強度分布と同じである。一方で、下図と左図を参照すると、通信シート１２０は金属テープ４０がないため、電波が下方向の空間に放射されていることが分かる。
金属テープの有無における最大利得の変化を図７に示す。図中に示すように、金属テープ４０がある場合の通信シート１００は、金属テープ４０がない場合の通信シート１２０に比べて利得が小さい。２次元通信においては、電波は空間に放射されない方が好ましいため、利得は小さい程好ましい。このため、金属テープ４０がない場合は利得が６．４ｄＢｉ高い分、空間に電波が放射されていることになる。ただし、金属テープ４０がなくとも近接場に電波を侵出させることはできるので、金属テープ４０を貼ること自体は必須ではない。
【００５３】
以上、この実施形態における通信シート１００は、複数の交差する線状導体１１のうち一の線状導体１１ａと平行するミアンダライン２１を有する無線基板２０を備える。このため、ミアンダライン２１と線状導体１１ａ間の電磁界結合により、その線状導体１１ａから電波が通信シート１００内に伝搬して、複数の開孔から近接場に電波が侵出する。
【００５４】
このため、無線基板２０を通信シート１００と組み合わせるために改造する必要がなく、かつ、両者を連結する専用コネクタも必要ない。また、無線基板２０を、ミアンダライン２１の電流の方向と線状導体１１ａの配線方向とが同じになるように、第１のシート状導体１０の主面上に設置すれば、たとえ重なっていなくても電波が通信シート内を満遍なく伝搬する（図５参照）。したがって、この実施形態に係る通信シート１００によれば、工数・費用を抑え、かつ、ムラなく電波をシート面上に浸出することができる。
【００５５】
また、この実施形態に係る通信シート１００は、線状導体１１ａを除いた他の線状導体１１ｂ〜１１ｄが含まれる領域を除去した除去孔１３（を含む貫通孔９０）を備える。このため、ミアンダライン２１と線状導体１１ａ間の電磁界結合の結合力を上げることができるので、電波の伝搬効率を上げることができる。
【００５６】
また、この実施形態に係る通信シート１００において、無線基板２０は、ミアンダライン２１の中心線２３と線状導体１１ａとが略重なるように、第１のシート状導体１０の主面上に設置される。一般的に、重なる面積が広い程、電磁界結合の結合力が上がる。このため、重ならない場合と比較して、ミアンダライン２１と線状導体１１ａとを強結合することができる。このため、ムラなく電波を侵出させることに加えて、電界強度を強めることができる（図４参照）。したがって、通信機器（例えば、スマートフォンなど）が通信シート１００面上で確実に電波を受信することができる。
【００５７】
また、この実施形態に係る通信シート１００は、除去孔１３の直下にある、誘電体６０と第２のシート状導体３０とを貫通する貫通孔９０を備える。第１のシート状導体１０の除去孔１３だけ作る、すなわち誘電体６０と第２のシート状導体３０だけ残すのは、貫通孔９０を作る場合と比較して難しくコストがかかる。このため、貫通孔９０を備えた方が除去孔１３だけ作るよりもコストを抑えることができる。
【００５８】
また、この実施形態に係る通信シート１００は、貫通孔９０のうち、少なくともミアンダライン２１と対向する開孔部分を第２のシート状導体３０側から被覆する金属テープ４０を備える。このため、金属テープ４０を第２のシート状導体３０と同様の機能で用いることができる。したがって、貫通孔９０からの電波漏れを防ぐことができる。
【００５９】
また、この実施形態に係る通信シート１００は、無線基板２０に電源供給を行うシート状電池５０を備える。このため、見かけ上完全にケーブルレスで２次元通信を行うことができる。加えて、シート状電池５０であるから、通信シート１００との組み合わせに好適であり、通信シート１００が肥大化することがない。ただし、導線５１の引き回しが複雑になるような場合（例えば、無線基板２０の端子がシート状電池５０と同面でなく反対面にあるような場合）、適宜ボタン電池などで代用するとよい。
【００６０】
以上、この実施形態に係る通信シート１００の効果について説明した。この通信シート１００は、通信機器（例えば、スマートフォンなど）と連携することで様々な用途で使用できる。ユースケースの一つとして、例えば、スマートフォンのアプリと連携することが考えられる。予め無線基板２０（ビーコン）が発信する信号（ユニークな識別情報）と連携するアプリをスマートフォンにインストールしておく。そして、ユーザがスマートフォンを通信シート１００面上に置いたとする。すると、スマートフォンのアプリが信号の受信をトリガとして、アプリを起動させる。
【００６１】
例えば、教室の各机に通信シート１００を敷設しておき、生徒がスマートフォンを置くと出席通知アプリにより、先生の可搬型端末（例えば、タブレット端末）に出席通知が自動でなされるといったユースケースが考えられる。あるいは、レストランの各テーブルに通信シート１００を敷設しておき、来店客がスマートフォンを置けばメニューアプリにより、自動でメニューが開くといったユースケースも考えられる。
【００６２】
以上で実施形態の説明を終了するが、上記実施形態は一例であり、通信シート１００の構成が上記実施形態で説明したものに限られないことはもちろんである。
【００６３】
（変形例１）
上述した実施形態では、ミアンダライン２１と線状導体１１ａとは重なる場合を例にとって説明したが、これに限られない。例えば、図８（Ａ）、（Ｂ）に示すように、ミアンダライン２１と線状導体１１ａとを近接させてもよい。すなわち、無線基板２０を、ミアンダライン２１の電流の方向と線状導体１１ａの線方向とが同じであって、かつ、ミアンダライン２１と線状導体１１ａとが近接するように、第１のシート状導体１０の主面上に設置してもよい。この通信シート２００が通信シート１００と異なる点は、ミアンダライン２１と線状導体１１ａとが重ならず近接する点である。
【００６４】
ミアンダライン２１の場合、放射部（図２の太線部分）が線状導体１１ａに近接するとよい。この近接の範囲は、電磁界結合可能な範囲であり、例えば、ミアンダライン２１の放射部から線状導体１１ａまでの距離を１ｍｍとすることができる。
この変形例１の通信シート２００でも、通信シート２００面上にムラなく電波を侵出することができる。したがって、十分に実用に耐えうる通信シート２００を提供することができる。
【００６５】
（変形例２）
上述した実施形態では、通信シート１００は貫通孔９０がある前提で説明したが、これに限られない。図９（Ａ）に、変形例２に係る通信シート３００の断面図を示す。この通信シート３００が通信シート１００と異なる点は、貫通孔９０に代えて、除去孔１３のみ有する点である。
【００６６】
この通信シート３００によれば、上述した通信シート１００の効果に加えて、金属テープ４０が不要なので部品点数が減らせる。また、無線基板２０は、固定部材１２と誘電体６０との空間に閉じ込められることになるので、シート状電池５０を用いた導線５１による電源供給ができない。このため、ボタン電池を無線基板２０に直接取り付けて電源供給すればよい。これによれば、導線５１の引き回しが不要になる。
【００６７】
（変形例３）
無線基板２０の設置位置は上述した実施形態に限られない。例えば、無線基板２０の設置位置を、図９（Ｂ）の変形例３に係る通信シート４００の位置にすることができる。この変形例３では、無線基板２０を第１のシート状導体１０のエッジ付近の主面上に設置するようにしている。この場合、線状導体１１ａは、最も外側にある外周の線状導体となる。
この通信シート４００によれば、上述した通信シート１００の効果に加えて、孔（除去孔１３や貫通孔９０）を設ける必要がないので、工数を減らしてコストを下げることができる。
【００６８】
（変形例４）
上述した実施形態では、ミアンダライン２１と線状導体１１ａとは間隙を空けて重なることを前提に説明したが、これに限られない。電磁界結合の結合力を上げるには、距離が近い方が好ましい。このため、変形例４に係る通信シート５００では、ミアンダライン２１と線状導体１１ａとの距離を狭めるために、無線基板２０をひっくり返して設置するようにしている。なお、無線基板２０の固定は、実施形態と同様、固定部材１２の天井面に接着することで行われる。
【００６９】
この変形例４に係る通信シート５００のミアンダライン２１と線状導体１１ａとの距離は、ＰＥＴの保護フィルム７０（絶縁層）を挟むものの厚さはほとんど無視できるので間隙がない場合と同一視できる。ただし、物理的にミアンダライン２１と線状導体１１ａとが直接接触すると特性が変化するので絶縁層を挟む必要がある。この点、保護フィルム７０の厚さは非常に薄いので絶縁層として好適である。
この変形例４に係る通信シート５００によれば、無線基板２０をひっくり返すことで、ミアンダライン２１と線状導体１１ａとの間隙を狭めて強結合することができる。このため、通信シート１００の効果に加えて、結合力を上げることができるので、電界強度をさらに強めることができる。
【００７０】
（変形例５）
上述した実施形態では、線状アンテナの一例としてミアンダライン２１を前提に説明したが、これに限られない。例えば、線状アンテナとして、図１０に示す直線のアンテナパターン２５を用いてもよい。変形例５に係る通信シート６００では、無線基板２４は、アンテナパターンと線状導体１１ａとが略重なるように、第１のシート状導体１０の主面上に設置される。この際、ミアンダライン２１と同様、アンテナパターンに流れる電流の方向（図中破線矢印）と線状導体１１ａの配線方向とが同じになるようにする。
変形例５の通信シート６００によれば、通信シート１００と同じ効果が得られる。なお、線状アンテナは様々なアンテナパターンとなり得るが、電流の方向と配線方向とを揃えて重なるようにすればよい。
【００７１】
なお、上述した実施形態及び変形例１から５において、第１のシート状導体１０は、複数の交差する線状導体１１で形成された開孔を、複数有する格子状であることを前提に説明したが、これに限られない。複数の線状導体１１は縦横に直交する（つまり、開孔が四角形になる）必要はなく、交差していればよい。
すなわち、第１のシート状導体は、複数の交差する線状導体１１で形成された開孔を、複数有しておけばよい。このため、開孔は何角形でもよく、例えば三角形の開孔を複数有する第１のシート状導体でもよい。要は、複数の線状導体１１のうち一の線状導体と線状アンテナとが平行であればよく、開孔の形は問わない。
【００７２】
また、無線基板２０の設置位置は、その無線基板２０の線状アンテナと一の線状導体とが平行（つまり、電流の方向と配線方向とが揃った上で平行）である限り、第１のシート状導体１０の主面上のどこに設置してもよい。つまり、複数の線状導体１１のうち何れか一つの線状導体が、実施形態でいう線状導体１１ａとして機能する。また、設置向きも実施形態では横向きであるが縦向きでもよい。換言すれば、上記平行である限り、ポジショニングは自由である。このため、無線基板２０の設置位置につき、真ん中や端といった具合に設計者が設置位置を適宜決めることができ、設計の自由度が高めることができる。
【００７３】
また、上述した実施形態において、金属テープ４０を用いる場合を例にとって説明したが、これに限られない。第２のシート状導体３０と同様にシールドとして機能すればよく、例えば、金属テープ４０に代えて薄い金属板を用いてもよい。この場合、金属板に接着材を塗布する等して第２のシート状導体３０とチップ２２とを接着すればよい。
【００７４】
また、上述した実施形態において、第１及び第２のシート状導体１０，３０は、アルミである場合を例にとって説明したが、これに限られない。例えば、銅、銀、ニッケル等の導電体でもよい。
また、誘電体６０は、発泡ポリオレフィンに限らず他の種類（例えば、ポリエステル、ポリアミド、芳香族ポリアミドなど）で構成してもよく、誘電体６０に代えて絶縁体（例えば、ガラスエポキシ素材）を用いてもよい。また、誘電体６０は、織物、編物、湿式不織布、乾式不織布などの繊維構造体で構成してもよい。また、誘電体６０は空気でもよい。
【００７５】
さらに、誘電体６０は、周波数８００ＭＨｚ〜１０ＧＨｚにおける比誘電率が１．０〜１５、好ましくは、１．０〜５．０、好ましくは、１．０〜３．０である。また、誘電体は、オレフィン樹脂（ＴＰＯ）やスチレン樹脂（ＳＢＣ）、塩ビ樹脂（ＴＰＶＣ）、ウレタン樹脂（ＰＵ）、エステル樹脂（ＴＰＥ）、アミド樹脂（ＴＰＡＥ）、フッ素化樹脂（ＰＴＦＥ）、エポキシ樹脂、フェノール樹脂、ポリフェニレンエーテル樹脂などで構成しても良い。
【００７６】
特に、比誘電率や加工性を考慮し、ポリエチレン（ＰＥ）やポリプロピレン（ＰＰ）といったポリオレフィン、ポリエチレンテレフタレート（ＰＥＴ）、ポリエチレンナフタレート（ＰＥＮ）、ポリブチレンテレフタレート（ＰＢＴ）、ポリトリメチレンテレフタレート（ＰＴＴ）といったポリエステル、ポリイミド（ＰＩ）が好ましく、特にポリエステル、ポリオレフィンが好ましい。
【００７７】
また、誘電体６０は、多孔質素材であることが好ましく、例えば、空隙率５０〜８５％の発泡ポリエチレンや発泡ポリプロピレンなどが挙げられる。誘電体６０が多孔質素材であることにより、シートの空隙率が上がり、比誘電率が１に近づくため、安定した通信性能を得ることができる。多孔質な素材であれば、連続発泡でも独立発泡でも構わない。
【００７８】
また、上記実施形態においては、無線基板２０への電源供給はシート状電池５０であることを前提に説明したが、これに限られない。例えば、シート状電池５０に代えてボタン電池や外部電源を用いてもいいことはもちろんである。
【００７９】
以下、通信シート１００の使用例について具体的に説明する。
（使用例１）
使用例１では、通信シート１００を、水族館、美術館、博物館等の案内に用いる例、つまり、通信シート１００を館内の案内システムに用いる例について説明する。
【００８０】
図１１に、水族館内において、水槽７００の手前に看板７２０が配置された例を示す。水槽７００は、魚７１０を飼育するために水を収容する容器である。魚７１０は、観賞用の魚であり、Ａという名称の魚である。看板７２０は、水槽７００の中にいる魚７１０の説明を提示する看板である。看板７２０の表面には、通信シート１００が配置されている。端末装置８００は、水族館の来客者が携帯している端末装置である。サーバ９００は、水族館を運営する主体が保有するサーバである。記憶装置９０１は、各種の情報を記憶する装置であり、例えば、ハードディスクである。ここでは、記憶装置９０１がサーバ９００に内蔵された例について説明するが、記憶装置９０１はサーバ９００の外部に設けられてもよい。
【００８１】
通信シート１００は、表面（２つの面のうち看板７２０からの距離が遠い方の面）から、魚７１０に関するガイダンス情報を特定するためのガイダンス特定情報と通信シート１００の識別情報とを含むビーコン信号を発信する。なお、厳密には、通信シート１００が備える無線基板２０がビーコン信号を発信するが、適宜、通信シート１００がビーコン信号を発信するという。通信シート１００が発信するビーコン信号は、例えば、通信シート１００の表面からの距離が数センチの範囲内において伝搬する。なお、この距離は、無線基板２０が発信する電波の強度により調整可能である。このガイダンス情報は、魚７１０の説明に用いられる情報であり、画像情報や音声情報である。
【００８２】
ガイダンス特定情報は、ガイダンス情報を特定することができる情報であれば、どのような情報であってもよい。ガイダンス特定情報は、例えば、魚７１０の識別情報、通信シート１００の識別情報、ガイダンス情報が格納されたＵＲＬ（Uniform Resource Locator）、ガイダンス情報が格納された記憶装置９０１上のアドレス、ガイダンス情報である。なお、端末装置８００、サーバ９００、記憶装置９０１などには、ガイダンス特定情報とガイダンス情報とが対応付けられて記憶されているものとする。この場合、端末装置８００は、適宜、サーバ９００や記憶装置９０１にアクセスして、ビーコン信号に含まれるガイダンス特定情報から、ガイダンス情報を取得することができる。
【００８３】
例えば、ガイダンス特定情報が魚７１０の識別情報であり、ガイダンス特定情報とガイダンス情報とを対応付ける情報が記憶装置９０１に記憶されているものとする。この場合、端末装置８００は、ビーコン信号に含まれるガイダンス特定情報をサーバ９００に送信する。一方、サーバ９００は、受信したガイダンス特定情報（魚７１０の識別情報）に対応付けられたガイダンス情報（魚７１０のガイダンス情報）を記憶装置９０１から取得し、端末装置８００に送信する。そして、端末装置８００は、サーバ９００からガイダンス情報を受信する。
【００８４】
端末装置８００は、例えば、Bluetooth（登録商標）Low Energy（ＢＬＥ）に準拠した２．４ＧＨｚ帯のビーコン信号を受信可能なスマートフォンである。端末装置８００は、画像情報を表示可能であるとともにユーザから操作を受け付け可能なタッチスクリーン８１０を備える。端末装置８００は、図示しないＣＰＵ（Central Processing Unit）、図示しないＲＯＭ（Read Only Memory）、図示しないＲＡＭ（Random Access Memory）、図示しない通信インターフェース、図示しないスピーカ等を備える。この通信インターフェースは、ビーコン信号を受信する機能、サーバ９００と無線通信する機能を有する。端末装置８００が備えるＣＰＵは、例えば、ＲＯＭに記憶されたプログラムに従って、タッチスクリーン８１０の表示を制御したり、通信インターフェースによる通信を制御したりする。
【００８５】
来客者は、魚７１０に関する詳細な情報を知りたい場合、看板７２０に配置された通信シート１００に端末装置８００を近づける。すると、端末装置８００は、通信シート１００から発信されたビーコン信号を受信し、ビーコン信号に含まれるガイダンス特定情報により特定されるガイダンス情報に基づく画像を表示したり、このガイダンス情報に基づく音声を出力したりする。また、端末装置８００は、通信シート１００からビーコン信号を受信すると、通信シート１００の識別情報と端末装置８００の識別情報とをサーバ９００に送信する。
【００８６】
サーバ９００は、図示しないネットワークを介して、端末装置８００と無線通信する。サーバ９００は、図示しないＣＰＵ、図示しないＲＯＭ、図示しないＲＡＭ、図示しないハードディスク、図示しないＲＴＣ（Real Time Clock）、図示しない通信インターフェース等を備える。サーバ９００は、端末装置８００から通信シート１００の識別情報と端末装置８００の識別情報とを受信すると、通信シート１００の識別情報と端末装置８００の識別情報と受信時刻を示す受信時刻情報とを対応付けた履歴情報を記憶装置９０１に記憶する。
【００８７】
ここで、記憶装置９０１には、通信シート１００が配置された位置を示す位置情報が予め記憶されている。また、通信シート１００は、水槽７００又は魚７１０に対応して設置される。従って、位置情報は、水槽７００又は魚７１０を特定する情報とも言える。この場合、例えば、通信シート１００の識別情報と、通信シート１００の位置情報と、水槽７００の識別情報と、魚７１０の識別情報とを対応付ける情報が、記憶装置９０１に記憶されていればよい。なお、通信シート１００が複数存在する場合、記憶装置９０１には、複数の通信シート１００のそれぞれが配置された位置を示す位置情報が記憶されていればよい。この場合、位置情報は、複数の通信シート１００のそれぞれについて、通信シート１００の識別情報とこの通信シート１００の位置との対応関係を示す情報である。
【００８８】
サーバ９００が備える記憶装置９０１に記憶された履歴情報は、様々な処理に適用することができる。例えば、端末装置８００を所有する来客者が、第１の時刻、第２の時刻、第３の時刻において水槽７００の前で端末装置８００を通信シート１００に近づけたとする。この場合、通信シート１００の識別情報と端末装置８００の識別情報と第１の時刻とが対応付けられた第１の履歴情報と、通信シート１００の識別情報と端末装置８００の識別情報と第２の時刻とが対応付けられた第２の履歴情報と、通信シート１００の識別情報と端末装置８００の識別情報と第３の時刻とが対応付けられた第３の履歴情報とが、サーバ９００が備えるハードディスクに記憶される。この場合、サーバ９００は、第１−３の履歴情報と位置情報とに基づいて、端末装置８００を所有する来客者がどの時刻に水槽７００を見学したのかを特定可能となる。
【００８９】
ここで、例えば、サーバ９００が、水槽７００を異なる日に見学する毎に、水槽７００で飼育されている魚７１０が１段階分成長する育成ゲームを提供しているものとする。この場合、サーバ９００は、来客者が異なる日に水槽７００を見学して端末装置８００を通信シート１００に近づける毎に魚７１０が１段階分成長するように育成ゲームを制御することができる。或いは、サーバ９００は、例えば、水槽７００を異なる日に見学する毎に、段階的に、魚７１０のより詳細な情報を端末装置８００に供給するようにしてもよい。
【００９０】
また、水族館内に設けられた複数の水槽７００（例えば、第１の水槽、第２の水槽、第３の水槽）のそれぞれに通信シート１００（例えば、第１の通信シート、第２の通信シート、第３の通信シート）が設けられているとする。そして、端末装置８００を所有する来客者が、第１の時刻において第１の水槽の前で端末装置８００を第１の通信シートに近づけ、第２の時刻において第２の水槽の前で端末装置８００を第２の通信シートに近づけ、第３の時刻において第３の水槽の前で端末装置８００を第３の通信シートに近づけたとする。
【００９１】
この場合、第１の通信シートの識別情報と端末装置８００の識別情報と第１の時刻とが対応付けられた第１の履歴情報と、第２の通信シートの識別情報と端末装置８００の識別情報と第２の時刻とが対応付けられた第２の履歴情報と、第３の通信シートの識別情報と端末装置８００の識別情報と第３の時刻とが対応付けられた第３の履歴情報とが、記憶装置９０１に記憶される。この場合、サーバ９００は、第１−３の履歴情報と位置情報とに基づいて、端末装置８００を所有する来客者の動線を特定可能となる。具体的には、サーバ９００は、端末装置８００を所有する来客者が、第１の水槽、第２の水槽、第３の水槽の順で見学したとみなすことができる。サーバ９００は、適宜、来客者の動線を示す画像情報を、図示しない表示部に表示したり、他の装置（例えば、端末装置８００）に送信したりすることができる。
【００９２】
このように、使用例１は、通信シート１００と、端末装置８００と、を備える通信システムに適用される。通信シート１００は、通信シート１００の近くに配置された展示物のガイダンス情報を含むビーコン信号を発信する。端末装置８００は、通信シート１００と近接してビーコン信号を受信した場合、ガイダンス情報に基づく画像又は音声を出力する。
【００９３】
また、使用例１において、通信シート１００を複数備えるとともに、サーバ９００と、記憶装置９０１と、を更に備えてもよい。この場合、複数の通信シート１００のそれぞれは、自通信シートの近くに配置された展示物のガイダンス情報と自通信シートの識別情報とを含むビーコン信号を発信する。また、記憶装置９０１には、複数の通信シート１００のそれぞれが配置された位置を示す位置情報が記憶されている。そして、端末装置８００は、ビーコン信号を受信した場合、ビーコン信号を発信した通信シート１００の識別情報と端末装置８００の識別情報とをサーバ９００に送信する。一方、サーバ９００は、端末装置８００からビーコン信号を発信した通信シート１００の識別情報と端末装置８００の識別情報とを受信した場合、ビーコン信号を発信した通信シート１００の識別情報と端末装置８００の識別情報と受信時刻を示す時刻情報とが対応付けられた履歴情報を、記憶装置９０１に記憶させる。そして、サーバ９００は、履歴情報と位置情報とに基づいて、端末装置８００が移動した経路を示す情報を出力する。
【００９４】
また、使用例１において、１つの看板７２０に、互いに異なる魚に対応付けられた複数の通信シート１００が設けられていてもよい。このような場合であっても、ある通信シート１００（「第１の通信シート」とする。）が発信するビーコン信号が到達する領域と、他の通信シート１００（「第２の通信シート」とする。）が発信するビーコン信号が到達する領域とは、基本的に重複しない。従って、複数のビーコン信号が互いに干渉することや、意図しない端末装置８００によりビーコン信号が受信されることを抑制可能である。例えば、第２の通信シート上に配置された端末装置８００が、第１の通信シートが発信するビーコン信号を受信することを抑制可能である。
【００９５】
使用例１では、３次元空間にビーコン信号が伝搬する従来の通信装置ではなく、通信シート１００が備える一方の面の近傍のみにビーコン信号が伝搬する通信シート１００が用いられる。このため、使用例１では、ビーコン信号を、通信シート１００から離れた場所に存在する端末装置８００に誤って送信する可能性が低い。従って、使用例１によれば、ビーコン信号に含まれる情報を、必要な来客者のみに提供することができる。また、使用例１によれば、来客者の位置（端末装置８００の位置）を正確に特定することができる。また、使用例１では、複数の端末装置８００に対して、同時に、ビーコン信号を供給することができる。
【００９６】
使用例１では、展示物が魚７１０（又は、水槽７００）である例について説明した。展示物は、美術館における絵画や博物館における展示品であってもよい。
【００９７】
（使用例２）
使用例１では、無線基板２０を備える通信シート１００を単体で用いる例について説明した。使用例２では、無線基板２０を備える通信シート１００に加え、無線基板２０Ａと無線基板２０Ｂと無線基板２０Ｃとを用いる例について説明する。なお、無線基板２０Ａ−２０Ｃは、通信シート１００に固定されていない点を除き、基本的に、無線基板２０と同様の構成である。使用例２では、無線基板２０Ａと無線基板２０Ｂと無線基板２０Ｃと通信シート１００とを館内の案内システムに用いる例について説明する。
【００９８】
図１２に示すように、水槽７００には魚７１０と魚７１１と魚７１２とが飼育されているものとする。ここで、魚７１０と魚７１１と魚７１２とは異なる種類の魚である。魚７１０はＡという名称の魚であり、魚７１１はＢという名称の魚であり、魚７１２はＣという名称の魚である。看板７２０には、回転部材７３０が回転可能に取り付けられている。
【００９９】
回転部材７３０は、Ａ、Ｂ及びＣの３種類の魚の中から１種類の魚を選択するための回転操作を受け付ける部材である。回転部材７３０は、回転軸７３４を中心にして回転する薄い円筒状の部材である。回転部材７３０は、底面に直交する方向から見たときに、３つの領域（領域７３１、領域７３２、領域７３３）に分割されている。
【０１００】
領域７３１、領域７３２、領域７３３は、それぞれ、魚７１０、魚７１１、魚７１２に対応付けられた領域である。回転部材７３０の一方の面（図中において手前側の面）において、領域７３１には魚７１０の絵や名称が描かれ、領域７３２には魚７１１の絵や名称が描かれ、領域７３３には魚７１２の絵や名称が描かれる。また、回転部材７３０の他方の面（図中において奥側の面）において、領域７３１には無線基板２０Ａが貼付され、領域７３２には無線基板２０Ｂが貼付され、領域７３３には無線基板２０Ｃが貼付される。
【０１０１】
無線基板２０は、通信シート１００の識別情報と魚の選択を促すメッセージ情報とを含むビーコン信号を発信する。無線基板２０Ａは、魚７１０に関するガイダンス情報を特定するためのガイダンス特定情報と魚７１０の識別情報とを含むビーコン信号を発信する。無線基板２０Ｂは、魚７１１に関するガイダンス情報を特定するためのガイダンス特定情報と魚７１１の識別情報とを含むビーコン信号を発信する。無線基板２０Ｃは、魚７１２に関するガイダンス情報を特定するためのガイダンス特定情報と魚７１２の識別情報とを含むビーコン信号を発信する。
【０１０２】
ここで、無線基板２０Ａと無線基板２０Ｂと無線基板２０Ｃとのうちのいずれか１つのみが通信シート１００の表面と近接するように配置される。つまり、来客者は、領域７３１、領域７３２、領域７３３のうちの所望の領域が通信シート１００と重なるように、回転部材７３０を回転させる。すると、通信シート１００と重なる領域に貼付された無線基板（以下、適宜「選択された無線基板」という。）から発信されたビーコン信号が、通信シート１００内で伝搬する。なお、無線基板２０から発信されたビーコン信号は、常に通信シート１００内で伝搬する。
【０１０３】
ここで、来客者が端末装置８００を通信シート１００に近づけると、端末装置８００は、無線基板２０から発信されたビーコン信号と、選択された無線基板から発信されたビーコン信号とを受信する。そして、端末装置８００は、無線基板２０から発信されたビーコン信号に含まれるメッセージ情報に基づいて、魚の選択を促すメッセージを表示したり音声出力したりする。また、端末装置８００は、選択された無線基板から発信されたビーコン信号に含まれるガイダンス特定情報により特定されるガイダンス情報に基づく画像を表示したり、このガイダンス情報に基づく音声を出力したりする。また、端末装置８００は、通信シート１００の識別情報と選択された魚の識別情報と端末装置８００の識別情報とをサーバ９００に送信する。
【０１０４】
サーバ９００は、端末装置８００から通信シート１００の識別情報と選択された魚の識別情報と端末装置８００の識別情報とを受信すると、通信シート１００の識別情報と選択された魚の識別情報と端末装置８００の識別情報と受信時刻情報とを対応付けた履歴情報を記憶装置９０１に記憶する。サーバ９００は、記憶装置９０１が記憶する履歴情報及び位置情報に基づいて、来客者が水槽７００を見学した時刻や、来場者が興味を持つ魚の種類などを特定することができる。従って、サーバ９００は、使用例１と同様に、魚の育成ゲームにおいて来客回数に応じて魚を成長させたり、来客者の動線を示す情報を提示したりすることができる。
【０１０５】
このように、使用例２は、複数の通信装置（無線基板２０Ａ−２０Ｃ）と、通信シート１００と、端末装置８００と、支持部材（看板７２０、回転部材７３０）と、を備える通信システムに適用される。支持部材は、複数の通信装置（無線基板２０Ａ−２０Ｃ）のうちいずれか１つが選択通信装置として通信シート１００と近接する位置に配置されるように、複数の通信装置（無線基板２０Ａ−２０Ｃ）を支持する。また、複数の通信装置（無線基板２０Ａ−２０Ｃ）のそれぞれは、自通信装置に対応付けられた展示物のガイダンス情報を含むビーコン信号を発信する。そして、通信シート１００は、選択通信装置が発信したビーコン信号を伝搬する。ここで、端末装置８００は、通信シート１００と近接してビーコン信号を受信した場合、選択通信装置に対応付けられた展示物のガイダンス情報に基づく画像又は音声を出力する。
【０１０６】
使用例２によっても、使用例１と同様の効果が得られる。更に、使用例２では、通信シート１００内を伝搬させるビーコン信号を発信する無線基板を選択することができる。従って、使用例２によれば、来客者に供給する情報を来客者に選択させることができる。
【０１０７】
（使用例３）
使用例３では、通信シート１００を、屋内の商業施設内や地下鉄の駅構内においてユーザを道案内する道案内システムに用いる例について説明する。
【０１０８】
使用例３では、使用例１と同様に、看板７２０に組み込まれた通信シート１００と端末装置８００とサーバ９００とを備えるシステム構成となる。使用例３では、通信シート１００が発信するビーコン信号は、道案内に関するガイダンス情報を特定するためのガイダンス特定情報と看板７２０が設置された位置を示す位置情報とを含む。このガイダンス情報は、道案内に用いられる情報であり、画像情報や音声情報である。看板７２０の表面には、周囲の地図が描かれていてもよく、更に、端末装置８００を近づけることで位置情報が取得可能である旨が示されていてもよい。
【０１０９】
ガイダンス特定情報は、ガイダンス情報を特定することができる情報であれば、どのような情報であってもよい。ガイダンス特定情報は、例えば、通信シート１００の識別情報、ガイダンス情報が格納されたＵＲＬ、ガイダンス情報が格納された記憶装置９０１上のアドレス、ガイダンス情報である。なお、端末装置８００、サーバ９００、記憶装置９０１などには、ガイダンス特定情報とガイダンス情報とが対応付けられて記憶されているものとする。この場合、端末装置８００は、適宜、サーバ９００や記憶装置９０１にアクセスして、ビーコン信号に含まれるガイダンス特定情報から、ガイダンス情報を取得することができる。
【０１１０】
ここで、ユーザが端末装置８００を通信シート１００に近づけると、端末装置８００は、ガイダンス特定情報と位置情報とを含むビーコン信号を通信シート１００から受信する。端末装置８００は、ガイダンス特定情報により特定されたガイダンス情報に基づく地図と位置情報に基づく現在位置とをタッチスクリーン８１０に表示する。或いは、端末装置８００は、ガイダンス特定情報により特定されたガイダンス情報と位置情報とに基づいて、主要な目的地（例えば、人気のある店舗や最寄り駅）までの経路を知らせる音声を出力する。また、端末装置８００は、現在位置から最寄りのおすすめの店舗を示す情報を提供したり、この店舗において使用可能なクーポンを提供したりすることができる。
【０１１１】
また、端末装置８００は、ビーコン信号を受信した場合、現在の位置を示す位置情報と現在の時刻を示す時刻情報とを記憶したり、サーバ９００に送信したりすることができる。この場合、端末装置８００やサーバ９００は、ユーザの動線を特定することができ、特定した動線をユーザに対する道案内に反映させることができる。
【０１１２】
このように、使用例３は、通信シート１００と、端末装置８００と、を備える通信システムに適用される。ここで、通信シート１００は、通信シート１００が配置された位置を示す位置情報を含むビーコン信号を発信する。そして、端末装置８００は、通信シート１００と近接してビーコン信号を受信した場合、位置情報に基づく画像又は音声を出力する。
【０１１３】
使用例３では、３次元空間にビーコン信号が伝搬する従来の通信装置ではなく、通信シート１００が用いられる。従って、使用例３によれば、通信シート１００の近傍の端末装置８００のみに、ユーザの周囲の地図を示す地図情報やユーザの位置を示す位置情報を送信することができる。また、使用例３では、ＧＰＳ（Global Positioning System）信号が到達しにくい屋内や地下でも位置情報を取得することが可能である。また、使用例３では、端末装置８００は、階数或いは高さを特定可能な位置情報を取得可能である。このため、ＧＰＳを用いた手法では特定することが困難である階数や高さを特定することができる。
【０１１４】
（使用例４）
使用例３では、無線基板２０を備える通信シート１００を単体で用いる例について説明した。使用例４では、無線基板２０を備える通信シート１００に加え、無線基板２０Ａと無線基板２０Ｂと無線基板２０Ｃとを用いる例について説明する。使用例４では、無線基板２０Ａと無線基板２０Ｂと無線基板２０Ｃと通信シート１００とを館内の案内システムに用いる例について説明する。
【０１１５】
図１３に示すように、使用例４では、看板７２０の表面に、通信シート１００と収容ケース７４０とが配置される。収容ケース７４０は、板状部材７４１と板状部材７４２と板状部材７４３とを出し入れ可能に収納する。つまり、板状部材７４１は、収容ケース７４０に対してスライド可能であり、板状部材７４１のほぼ全体が収容ケース７４０に収容される状態（以下「収容状態」という。）と収容ケース７４０からはみ出す状態（以下「非収容状態」という。）と、を有する。同様に、板状部材７４２及び板状部材７４３も、収容ケース７４０に対してスライド可能であり、収容状態と非収容状態とを有する。
【０１１６】
通信シート１００が備える無線基板２０は、地図特定情報と現在位置情報と店舗の選択を促すメッセージ情報とを含むビーコン信号を発信する。地図特定情報は、地図情報を特定するための情報である。地図特定情報と地図情報とは対応付けられて、端末装置８００、サーバ９００、記憶装置９０１などに記憶される。板状部材７４１の裏面には、無線基板２０Ａが貼り付けられている。無線基板２０Ａは、Ａという名称の店舗に関するガイダンス情報を特定するためのガイダンス特定情報とＡという名称の店舗の位置を示す目的地情報とを含むビーコン信号を発信する。板状部材７４２の裏面には、無線基板２０Ｂが貼り付けられている。無線基板２０Ｂは、Ｂという名称の店舗に関するガイダンス情報を特定するためのガイダンス特定情報とＢという名称の店舗の位置を示す目的地情報とを含むビーコン信号を発信する。板状部材７４３の裏面には、無線基板２０Ｃが貼り付けられている。無線基板２０Ｃは、Ｃという名称の店舗に関するガイダンス情報を特定するためのガイダンス特定情報とＣという名称の店舗の位置を示す目的地情報とを含むビーコン信号を発信する。
【０１１７】
無線基板２０が発信するビーコン信号は、常時、通信シート１００内を伝搬する。板状部材７４１が収容状態にあるとき、無線基板２０Ａは通信シート１００の近傍に配置されないため、無線基板２０Ａが発信するビーコン信号は通信シート１００内を伝搬しない。一方、板状部材７４１が非収容状態にあるとき、無線基板２０Ａは通信シート１００の近傍に配置されるため、無線基板２０Ａが発信するビーコン信号は通信シート１００内を伝搬する。同様に、無線基板２０Ｂが発信するビーコン信号は、板状部材７４２が収容状態にあるとき通信シート１００内を伝搬せず、板状部材７４２が非収容状態にあるとき通信シート１００内を伝搬する。また、無線基板２０Ｃが発信するビーコン信号は、板状部材７４３が収容状態にあるとき通信シート１００内を伝搬せず、板状部材７４３が非収容状態にあるとき通信シート１００内を伝搬する。
【０１１８】
このように、使用例４は、複数の通信装置（無線基板２０Ａ−２０Ｃ）と、通信シート１００と、端末装置８００と、支持部材（看板７２０、収容ケース７４０、板状部材７４１−７４３）と、を備える通信システムに適用される。支持部材（看板７２０、収容ケース７４０、板状部材７４１−７４３）は、複数の通信装置（無線基板２０Ａ−２０Ｃ）のうち１つ以上が選択通信装置として通信シート１００と近接する位置に配置されるように、複数の通信装置（無線基板２０Ａ−２０Ｃ）を支持する。複数の通信装置（無線基板２０Ａ−２０Ｃ）のそれぞれは、自通信装置に対応付けられたガイダンス情報を含むビーコン信号を発信する。通信シート１００は、１つ以上の選択通信装置が発信したビーコン信号を伝搬する。端末装置８００は、通信シート１００と近接してビーコン信号を受信した場合、１つ以上の選択通信装置の識別情報に基づく画像又は音声を出力する。
【０１１９】
かかる構成によれば、無線基板２０から発信されたビーコン信号と、選択した店舗に対応する板状部材（非収容状態にある板状部材）に貼付された無線基板から発信されたビーコン信号と、が通信シート１００内を伝搬する。従って、端末装置８００を通信シート１００に近づけた場合、地図情報を特定するための地図特定情報と現在位置情報と店舗の選択を促すメッセージ情報とに加え、選択した店舗のガイダンス情報を特定するためのガイダンス特定情報と選択した店舗の位置を示す目的地情報とが端末装置８００により取得される。このため、端末装置８００は、店舗の選択を促すメッセージ情報を画像や音声として出力することができる。また、端末装置８００は、選択した店舗のガイダンス情報を画像や音声として出力することができる。また、端末装置８００は、選択した店舗の位置と現在位置との関係を地図上で示したり、選択した店舗を効率的に経由するルートを地図上で示したりする画像を、タッチスクリーン８１０に表示することができる。或いは、端末装置８００は、現在位置から選択した店舗を効率的に経由するルートを音声で案内してもよい。
【０１２０】
使用例４によっても、使用例３と同様の効果が得られる。更に、使用例４では、通信シート１００内を伝搬させるビーコン信号を発信する無線基板を選択することができる。従って、使用例４によれば、ユーザに供給する情報を来客者に選択させることができる。
【０１２１】
（使用例５）
使用例５では、通信シート１００を、薬局が患者のお薬手帳に記載された情報（以下、適宜「手帳情報」という。）を管理するための薬局システムに用いる例について説明する。
【０１２２】
図１４に示すように、薬局システムは、通信シート１００と、端末装置８００と、サーバ９００と、処理装置９１０と、を備える。通信シート１００は、手帳情報の閲覧を許可することを要求する要求情報を含むビーコン信号を送信する。端末装置８００は、通信シート１００からビーコン信号を受信すると、手帳情報の閲覧を許可する旨を指示する指示情報と端末装置８００の識別情報とをサーバ９００に送信する。サーバ９００は、端末装置８００から指示情報と端末装置８００の識別情報とを受信した後、予め定められた期間（例えば、３０分間）、端末装置８００の識別情報に対応付けられた患者の手帳情報を処理装置９１０が閲覧することを許可する。なお、サーバ９００は、患者が所有する端末装置８００の識別情報と患者の識別情報と患者の手帳情報とを対応付けて記憶装置９０１に記憶しているものとする。
【０１２３】
このように、使用例５は、通信シート１００と、端末装置８００と、サーバ９００と、処理装置９１０と、を備える通信システムに適用される。通信シート１００は、ビーコン信号を発信する。端末装置８００は、通信シート１００と近接してビーコン信号を受信した場合、端末装置８００の識別情報をサーバ９００に送信する。サーバ９００は、端末装置８００から端末装置８００の識別情報を受信した場合、端末装置８００の識別情報に対応付けられた情報を処理装置９１０に送信する。
【０１２４】
従来の薬局システムでは、例えば、処理装置９１０からサーバ９００に手帳情報の閲覧を申請し、サーバ９００が端末装置８００にＯＴＰ（One Time Password）を発行し、端末装置８００を所有する患者が薬剤師にＯＴＰを伝え、薬剤師が処理装置９１０を操作して、ＯＴＰを使用してサーバ９００から手帳情報を取得するという工程が必要であった。このため、従来の薬局システムでは、手帳情報を閲覧するために非常に煩雑な処理が必要であった。
【０１２５】
これに対して、使用例５によれば、患者は、処理装置９１０による手帳情報の閲覧を許可する場合に、端末装置８００を通信シート１００上に配置するだけである。かかる構成によれば、患者は薬局が手帳情報を閲覧することを容易に許可することができる。使用例５によれば、３次元空間にビーコン信号が伝搬する従来の通信装置とは異なり、手帳情報の閲覧を希望しない周囲の人に関して手帳情報が閲覧されることを防止することができる。
【０１２６】
なお、使用例５において、複数の端末装置８００が通信シート１００上に置かれた場合に、手帳情報の閲覧が許可されるようにしてもよい。例えば、親が所有する端末装置８００（以下「端末装置Ａ」という。）と子が所有する端末装置８００（以下「端末装置Ｂ」という。）との両方が通信シート１００上に置かれた場合に、子の手帳情報の閲覧が許可されるようにする。この場合、端末装置Ｂが通信シート１００上に置かれた場合、端末装置Ｂは、通信シート１００からビーコン信号を受信し、指示情報と端末装置Ｂの識別情報とをサーバ９００に送信する。
【０１２７】
ただし、この段階では、サーバ９００は、端末装置Ａから指示情報を受信していないため、子の手帳情報の閲覧を許可しない。ここで、端末装置Ａが通信シート１００上に置かれた場合、端末装置Ａは、通信シート１００からビーコン信号を受信し、指示情報と端末装置Ａの識別情報とをサーバ９００に送信する。すると、サーバ９００は、端末装置Ｂと端末装置Ｂに対応付けられた端末装置Ａとの双方から指示情報を受信し、子の手帳情報の閲覧を許可する。なお、サーバ９００は、端末装置Ａの識別情報と端末装置Ｂの識別情報とを対応付けて記憶しているものとする。かかる構成によれば、子だけの判断で子の手帳情報の閲覧を許可することを抑制することができる。
【０１２８】
（使用例６）
使用例５では、無線基板２０を備える通信シート１００を単体で用いる例について説明した。使用例６では、無線基板２０を備える通信シート１００に加え、無線基板２０Ａと無線基板２０Ｂとを用いる例について説明する。使用例６では、無線基板２０Ａと無線基板２０Ｂと通信シート１００とを薬局システムに用いる例について説明する。
【０１２９】
使用例６では、無線基板２０は、手帳情報の閲覧を許可することを要求する要求情報と手帳情報の閲覧時間の選択を促すメッセージ情報とを含むビーコン信号を送信する。また、無線基板２０Ａは、第１の閲覧時間（例えば、５分間）を示す情報を含むビーコン信号を送信する。また、無線基板２０Ｂは、第２の閲覧時間（例えば、３０分間）を示す情報を含むビーコン信号を送信する。通信シート１００上に端末装置８００のみが置かれている場合、端末装置８００は、無線基板２０から要求情報とメッセージ情報とを含むビーコン信号を受信し、画像表示や音声出力により手帳情報の閲覧時間の選択を促す。ここで、患者は、無線基板２０Ａと無線基板２０Ｂとのうちのいずれか一方と端末装置８００とを通信シート１００上に置く。
【０１３０】
通信シート１００上に無線基板２０Ａが置かれた場合、端末装置８００は、無線基板２０Ａから第１の閲覧時間を示す情報を含むビーコン信号を受信し、要求情報と第１の閲覧時間を示す情報と端末装置８００の識別情報とをサーバ９００に送信する。一方、通信シート１００上に無線基板２０Ｂが置かれた場合、端末装置８００は、無線基板２０Ｂから第２の閲覧時間を示す情報を含むビーコン信号を受信し、要求情報と第２の閲覧時間を示す情報と端末装置８００の識別情報とをサーバ９００に送信する。
【０１３１】
サーバ９００は、端末装置８００から要求情報と第１の閲覧時間を示す情報と端末装置８００の識別情報とを受信した場合、第１の閲覧時間、患者の手帳情報を処理装置９１０が閲覧することを許可する。一方、サーバ９００は、端末装置８００から要求情報と第２の閲覧時間を示す情報と端末装置８００の識別情報とを受信した場合、第２の閲覧時間、患者の手帳情報を処理装置９１０が閲覧することを許可する。かかる構成によれば、患者は、閲覧を許容する時間を容易に選択することができる。
【０１３２】
なお、無線基板２０Ａは、第１の閲覧時間を示す情報に代えて無線基板２０Ａの識別情報を含むビーコン信号を送信し、無線基板２０Ｂは、第２の閲覧時間を示す情報に代えて無線基板２０Ｂの識別情報を含むビーコン信号を送信してもよい。この場合、端末装置８００は、無線基板２０Ａの識別情報を含むビーコン信号を受信した場合、要求情報と無線基板２０Ａの識別情報と端末装置８００の識別情報とをサーバ９００に送信する。また、端末装置８００は、無線基板２０Ｂの識別情報を含むビーコン信号を受信した場合、要求情報と無線基板２０Ｂの識別情報と端末装置８００の識別情報とをサーバ９００に送信する。ここで、サーバ９００は、端末装置８００から要求情報と無線基板２０Ａの識別情報と端末装置８００の識別情報とを受信した場合、第１の閲覧時間、患者の手帳情報を処理装置９１０が閲覧することを許可する。一方、サーバ９００は、端末装置８００から要求情報と無線基板２０Ｂの識別情報と端末装置８００の識別情報とを受信した場合、第２の閲覧時間、患者の手帳情報を処理装置９１０が閲覧することを許可する。
【０１３３】
このように、使用例６は、複数の通信装置（無線基板２０Ａ−２０Ｂ）と、通信シート１００と、端末装置８００と、サーバ９００と、処理装置９１０と、を備える通信システムに適用される。複数の通信装置（無線基板２０Ａ−２０Ｂ）のそれぞれは、自通信装置の識別情報を含むビーコン信号を発信する。複数の通信装置（無線基板２０Ａ−２０Ｂ）のうち１つが選択通信装置として通信シート１００と近接する位置に配置される。端末装置８００は、通信シート１００と近接してビーコン信号を受信した場合、選択通信装置の識別情報と端末装置８００の識別情報とをサーバ９００に送信する。サーバ９００は、端末装置８００から選択通信装置の識別情報と端末装置８００の識別情報とを受信した場合、選択通信装置の識別情報に対応付けられた期間内において、端末装置８００の識別情報に対応付けられた情報を処理装置９１０に送信する。
【０１３４】
（使用例７）
使用例７では、通信シート１００を、カーシェアリング、民泊、共有の会議室など不特定多数のユーザが使用する物又は設備の施錠を管理するスマートロックシステムに用いる例について説明する。ここでは、カーシェアリングにおけるスマートロックシステムについて説明する。使用例７では、通信シート１００と端末装置８００とサーバ９００とが用いられる。
【０１３５】
通信シート１００は、無線基板２０が搭載された車の識別情報を含むビーコン信号を送信する無線基板２０を備える。通信シート１００は、例えば、車の運転席側のドアの内部に、厚さ方向が水平になるように配置される。端末装置８００は、無線基板２０からビーコン信号を受信する機能とサーバ９００と無線通信する機能とを有する。端末装置８００は、例えば、スマートフォンである。サーバ９００は、カーシェアリングを運営する会社が有するサーバである。
【０１３６】
まず、ユーザは、端末装置８００を用いて、車を予約する。このとき、端末装置８００は、例えば、予約した車の識別情報をサーバ９００から取得する。そして、ユーザは、車の使用時に、車の運転席側のドアに端末装置８００を近づける。すると、端末装置８００は、無線基板２０から車の識別情報を受信する。端末装置８００は、サーバ９００から受信した車の識別情報と無線基板２０から受信した車の識別情報とが一致する場合、車のドアの鍵の施錠を管理する管理モジュールに、ドアの解錠を指示する指示信号を送信する。管理モジュールは、端末装置８００から指示信号を受信すると、ドアを解錠する。
【０１３７】
このように、使用例７は、通信シート１００と、端末装置８００と、サーバ９００と、を備える通信システムに適用される。通信シート１００は、対象設備（車）に設けられ、対象設備（車）の識別情報を含むビーコン信号を発信する。サーバ９００は、対象設備（車）の識別情報を端末装置８００に送信する。端末装置８００は、サーバ９００から対象設備（車）の識別情報を受信した後、通信シート１００と近接してビーコン信号を受信した場合、対象設備（車）を使用するための制御信号を出力する。
【０１３８】
使用例７によれば、３次元空間にビーコン信号が伝搬する従来の通信装置とは異なり、端末装置８００が車から離れた位置にあるにもかかわらず車のドアが解錠してしまうという事態を防止できる。なお、管理モジュールが、電動シートの位置、電動シートの背もたれの角度、ルームミラーやサイドミラーの角度などを調整できる場合がある。この場合、端末装置８００は、ユーザが所望するこれらの位置や角度を示すパラメータを記憶しておき、ドアの解錠を指示する指示信号とともにこれらのパラメータを管理モジュールに送信してもよい。すると、管理モジュールは、受信したパラメータに従って、これらの位置や角度を調整することができる。
【０１３９】
（使用例８）
使用例７では、無線基板２０を備える通信シート１００を単体で用いる例について説明した。使用例８では、無線基板２０を備える通信シート１００に加え、無線基板２０Ａを用いる例について説明する。使用例８では、無線基板２０Ａと通信シート１００とサーバ９００と処理装置９１０とが用いられる。
【０１４０】
無線基板２０は、車の識別情報を含むビーコン信号を送信する。無線基板２０Ａは、無線基板２０Ａが配置された位置を示す位置情報を含むビーコン信号を送信する。無線基板２０Ａは、例えば、駐車場内に配置される。具体的には、無線基板２０Ａは、車が駐車するスペースの後方、典型的には、停車した車のトランクやリヤバンパーに近接する位置に配置される。通信シート１００は、無線基板２０から送信されたビーコン信号と無線基板２０Ａから送信されたビーコン信号とを処理装置９１０に伝達する機能を有する。通信シート１００は、例えば、車のトランクやリヤバンパーの内部に設けられる。処理装置９１０は、通信シート１００を介して、無線基板２０と無線基板２０Ａとからビーコン信号を受信する。処理装置９１０は、通信シート１００の近傍に配置される。サーバ９００は、カーシェアリングを運営する会社が有するサーバである。
【０１４１】
まず、通信シート１００と処理装置９１０とを搭載した車が、無線基板２０が配置された駐車スペースに駐車されていない間、無線基板２０Ａと通信シート１００とは互いに近接しない。従って、処理装置９１０は、無線基板２０が発信したビーコン信号のみを受信し、無線基板２０Ａが発信したビーコン信号を受信しない。一方、この車が、無線基板２０Ａが配置された駐車スペースに駐車されている間、無線基板２０Ａと通信シート１００とは互いに近接する。従って、処理装置９１０は、無線基板２０が発信したビーコン信号と無線基板２０Ａが発信したビーコン信号とを、通信シート１００を介して受信する。処理装置９１０は、無線基板２０から受信したビーコン信号に含まれる車の識別情報と無線基板２０Ａから受信したビーコン信号に含まれる位置情報とを、サーバ９００に送信する。サーバ９００は、処理装置９１０から受信した位置情報に基づいて、無線基板２０が搭載された車の位置を特定する。
【０１４２】
このように、使用例８は、通信装置（無線基板２０Ａ）と、通信シート１００と、サーバ９００と、処理装置９１０と、を備える通信システムに適用される。通信シート１００は、車に配置される。処理装置９１０は、車に配置され、通信シート１００と近接する位置に配置される。通信装置（無線基板２０Ａ）は、車が駐車する駐車場に配置される。通信装置（無線基板２０Ａ）は、駐車場の位置を示す位置情報を含むビーコン信号を発信する。処理装置９１０は、通信装置（無線基板２０Ａ）が通信シート１００と近接し、ビーコン信号を受信した場合、車の識別情報と位置情報とをサーバ９００に送信する。
【０１４３】
使用例８によれば、カーシェアリングにおいて、車が使用中か否か、或いは、どの駐車スペースに駐車されているのかを特定することが可能となる。
【０１４４】
（使用例９）
使用例９では、通信シート１００を、写真を印刷するプリンタを備える印刷システムや現金を自動で入金したり出金したりするＡＴＭ（Automatic Teller Machine）を備える入出金システムに用いる例について説明する。ここでは、印刷システムに適用する例について説明する。使用例９では、通信シート１００と端末装置８００とサーバ９００と処理装置９１０とが用いられる。なお、処理装置９１０は、プリンタであるものとする。
【０１４５】
通信シート１００は、無線基板２０が搭載された処理装置９１０の識別情報を含むビーコン信号を送信する無線基板２０を備える。通信シート１００は、例えば、処理装置９１０の上部に配置される。端末装置８００は、無線基板２０からビーコン信号を受信する機能とサーバ９００と処理装置９１０とのそれぞれと無線通信する機能とを有する。端末装置８００は、例えば、スマートフォンである。処理装置９１０は、端末装置８００とサーバ９００とのそれぞれと無線通信する機能と印刷機能とを有する。サーバ９００は、印刷サービスを運営する会社が有するサーバである。
【０１４６】
まず、ユーザは、端末装置８００を用いて、印刷したいデジタル画像と端末装置８００の識別情報とを、サーバ９００にアップロードしておく。そして、ユーザは、端末装置８００を処理装置９１０に配置された通信シート１００に近づける。このとき、端末装置８００は、通信シート１００から処理装置９１０の識別情報を含むビーコン信号を受信する。端末装置８００は、端末装置８００の識別情報と処理装置９１０の識別情報とを処理装置９１０に送信する。
【０１４７】
処理装置９１０は、端末装置８００から端末装置８００の識別情報と処理装置９１０の識別情報とを受信すると、端末装置８００を所有するユーザがプリンタの近くにいると見做して、写真を印刷する処理を実行する。つまり、処理装置９１０は、受信した端末装置８００の識別情報を、サーバ９００に送信する。一方、サーバ９００は、受信した端末装置８００の識別情報に対応付けて記憶されたデジタル画像を、処理装置９１０に送信する。処理装置９１０は、受信したデジタル画像を印刷する。
【０１４８】
このように、使用例９は、通信シート１００と、端末装置８００と、処理装置９１０と、を備える通信システムに適用される。通信シート１００は、処理装置９１０に設けられ、処理装置９１０の識別情報を含むビーコン信号を発信する。端末装置８００は、通信シート１００と近接してビーコン信号を受信した場合、処理装置９１０の識別情報と端末装置８００の識別情報とを処理装置９１０に送信する。処理装置９１０は、端末装置８００から処理装置９１０の識別情報を受信した場合、端末装置８００の識別情報に基づく処理を実行する。
【０１４９】
使用例９では、ユーザは、印刷したいデジタル画像をサーバ９００に予めアップロードしていれば、処理装置９１０（プリンタ）が配置された店舗内では、端末装置８００を通信シート１００に近づけるだけでデジタル画像を取得することができる。このため、使用例８によれば、店舗内におけるユーザの手間を減らすことができ、店舗内が混雑することを抑制する効果が期待できる。
【０１５０】
使用例９において、印刷システムに代えて入出金システムに適用することもできる。この場合、処理装置９１０は、プリンタではなくＡＴＭとなる。そして、端末装置８００は、デジタル画像に代えて、入金額又は出金額を示す金額情報を、サーバ９００にアップロードする。そして、ユーザが端末装置８００を通信シート１００に近づけた場合に、ＡＴＭによる入金処理又は出金処理が実行される。この例においても、店舗内におけるユーザの手間を減らすことができ、店舗内が混雑することを抑制する効果が期待できる。
【０１５１】
使用例９において、サーバ９００が設けられていなくてもよい。この場合、サーバ９００にアップロードされる情報（例えば、デジタル画像、金額情報）は、端末装置８００により保持される。そして、端末装置８００は、通信シート１００に近づけられたときに、処理装置９１０の識別情報とこれらの情報（例えば、デジタル画像、金額情報）を、処理装置９１０に送信する。
【０１５２】
（使用例１０）
使用例９では、無線基板２０を備える通信シート１００を単体で用いる例について説明した。使用例１０では、無線基板２０を備える通信シート１００に加え、無線基板２０Ａを用いる例について説明する。使用例１０では、無線基板２０Ａと通信シート１００と端末装置８００とサーバ９００と処理装置９１０とを印刷システムに用いる例について説明する。
【０１５３】
無線基板２０は、無線基板２０Ａを通信シート１００上に置くことを促すメッセージ情報と無線基板２０の識別情報とを含むビーコン信号を発信する。なお、使用例１０では、無線基板２０と処理装置９１０とは１対１で対応する。従って、無線基板２０の識別情報に代えて、処理装置９１０の識別情報を採用してもよい。この場合、無線基板２０は、上記メッセージ情報と処理装置９１０の識別情報とを含むビーコン信号を発信する。無線基板２０Ａは、端末装置８００の識別情報を含むビーコン信号を送信する。無線基板２０Ａは、端末装置８００を所有するユーザにより携帯される。通信シート１００は、無線基板２０から送信されたビーコン信号と無線基板２０Ａから送信されたビーコン信号とを端末装置８００に伝達する機能を有する。通信シート１００は、例えば、処理装置９１０（プリンタ）の上部に配置される。端末装置８００は、無線基板２０から送信されたビーコン信号と無線基板２０Ａから送信されたビーコン信号とを受信する機能と、処理装置９１０と無線通信する機能と、サーバ９００と無線通信する機能とを有する。処理装置９１０は、端末装置８００とサーバ９００とのそれぞれと無線通信する機能と印刷機能とを有する。
【０１５４】
まず、ユーザは、端末装置８００を用いて、印刷したいデジタル画像と端末装置８００の識別情報とを、サーバ９００にアップロードしておく。そして、ユーザは、端末装置８００を処理装置９１０に配置された通信シート１００に近づける。すると、端末装置８００は、無線基板２０から発信されたビーコン信号を受信し、無線基板２０Ａを通信シート１００上に置くことを促すメッセージを画像表示したり音声出力したりする。ここで、ユーザは、無線基板２０Ａを処理装置９１０に配置された通信シート１００に近づける。このとき、無線基板２０Ａは、端末装置８００の識別情報を含むビーコン信号を、通信シート１００を介して端末装置８００に送信する。端末装置８００は、無線基板２０から無線基板２０の識別情報（又は、処理装置９１０の識別情報）を含むビーコン信号を受信し、更に、無線基板２０Ａから端末装置８００の識別情報を含むビーコン信号を受信すると、無線基板２０Ａと端末装置８００とを所有するユーザが処理装置９１０の近くにいると見做して、写真を印刷する処理を処理装置９１０に実行させるための制御信号を処理装置９１０に送信する。この制御信号には、端末装置８００の識別情報が含まれる。処理装置９１０は、受信した端末装置８００の識別情報を、サーバ９００に送信する。一方、サーバ９００は、受信した端末装置８００の識別情報に対応付けて記憶されたデジタル画像を、処理装置９１０に送信する。処理装置９１０は、受信したデジタル画像を印刷する。
【０１５５】
このように、使用例１０は、第２の通信装置（無線基板２０Ａ）と、第１の通信装置（無線基板２０）を含む通信シート１００と、端末装置８００と、処理装置９１０と、を備える通信システムに適用される。第１の通信装置（無線基板２０）は、第１の通信装置の識別情報（又は、処理装置９１０の識別情報）を含むビーコン信号を発信する。第２の通信装置（無線基板２０Ａ）は、端末装置８００の識別情報を含むビーコン信号を発信する。端末装置８００は、第２の通信装置（無線基板２０Ａ）が通信シート１００に近接し、第１の通信装置（無線基板２０）と第２の通信装置（無線基板２０Ａ）との双方からビーコン信号を受信した場合、端末装置８００の識別情報を含む制御信号を処理装置９１０に送信する。処理装置９１０は、端末装置８００から制御信号を受信した場合、端末装置８００の識別情報に基づく処理を実行する。
【０１５６】
使用例１０では、ユーザは、印刷したいデジタル画像をサーバ９００に予めアップロードしていれば、処理装置９１０（プリンタ）が配置された店舗内では、端末装置８００と無線基板２０Ａとを通信シート１００に近づけるだけでデジタル画像を取得することができる。このため、使用例１０によれば、店舗内におけるユーザの手間を減らすことができ、店舗内が混雑することを抑制する効果が期待できる。
【０１５７】
また、使用例１０では、端末装置８００は、通信シート１００を介して、無線基板２０と無線基板２０Ａとの双方からビーコン信号を受信した場合、端末装置８００の識別情報を含む制御信号を処理装置９１０に送信する。つまり、使用例１０では、通信シート１００に、無線基板２０Ａと端末装置８００との双方が近づけられなければ、処理装置９１０による処理が実行されない。このため、例えば、端末装置８００の所有者以外の第３者は、端末装置８００を不正に取得したとしても、無線基板２０をも取得しない限り、処理装置９１０を用いた処理を実行することができない。従って、使用例１０によれば、端末装置８００の紛失によるリスクを低減することが期待できる。
【０１５８】
使用例１０において、使用例８と同様に、印刷システムに代えて入出金システムに適用することもできる。また、使用例１０において、使用例８と同様に、サーバ９００が設けられていなくてもよい。
【０１５９】
（使用例１１）
使用例１１では、通信シート１００を、教育現場における通知システムに用いる例について説明する。使用例１１では、通信シート１００Ａ−１００Ｄと、端末装置８００Ａ−８００Ｄと、サーバ９００と、が用いられる。
【０１６０】
図１５に示すように、通信シート１００Ａは、先生Ａが使用する机１５０Ａ上に敷設され、通信シート１００Ａの識別情報を含むビーコン信号を発信する無線基板２０ＡＡを備える。通信シート１００Ｂは、生徒Ｂが使用する机１５０Ｂ上に敷設され通信シート１００Ｂの識別情報を含むビーコン信号を発信する無線基板２０ＢＢを備える。通信シート１００Ｃは、生徒Ｃが使用する机１５０Ｃ上に敷設され、通信シート１００Ｃの識別情報を含むビーコン信号を発信する無線基板２０ＣＣを備える。通信シート１００Ｄは、生徒Ｄが使用する机１５０Ｄ上に敷設され、通信シート１００Ｄの識別情報を含むビーコン信号を発信する無線基板２０ＤＤを備える。このように、通信シート１００Ａ−１００Ｄは、互いに異なる識別情報を含むビーコン信号を発信する。
【０１６１】
端末装置８００Ａは、先生Ａが所有する端末装置である。端末装置８００Ｂは、生徒Ｂが所有する端末装置である。端末装置８００Ｃは、生徒Ｃが所有する端末装置である。端末装置８００Ｄは、生徒Ｄが所有する端末装置である。サーバ９００は、端末装置８００Ａ−Ｄから各種の情報を受信したり、端末装置８００Ａ−Ｄに各種の情報を送信したりする。
【０１６２】
生徒Ｂが通信シート１００Ｂ上に端末装置８００Ｂを置くと、端末装置８００Ｂは通信シート１００Ｂの識別情報をサーバ９００に送信する。すると、サーバ９００は、通信シート１００Ｂの識別情報を受信した旨を端末装置８００Ａに送信する。同様に、生徒Ｃが通信シート１００Ｃ上に端末装置８００Ｃを置くと、端末装置８００Ｃは通信シート１００Ｃの識別情報をサーバ９００に送信する。すると、サーバ９００は、通信シート１００Ｃの識別情報を端末装置８００Ａに送信する。また、生徒Ｄが通信シート１００Ｄ上に端末装置８００Ｄを置くと、端末装置８００Ｄは通信シート１００Ｄの識別情報をサーバ９００に送信する。すると、サーバ９００は、通信シート１００Ｄの識別情報を端末装置８００Ａに送信する。
【０１６３】
ここで、サーバ９００や端末装置８００Ａ−Ｄは、通信シート１００Ａの識別情報と先生Ａの識別情報とを対応付ける情報と、通信シート１００Ｂの識別情報と生徒Ｂの識別情報とを対応付ける情報と、通信シート１００Ｃの識別情報と生徒Ｃの識別情報とを対応付ける情報と、通信シート１００Ｄの識別情報と生徒Ｄの識別情報とを対応付ける情報と、を記憶しているものとする。この場合、端末装置８００Ａは、通信シート１００Ｂの識別情報を受信した場合、生徒Ｂが出席したと見做すことができる。同様に、端末装置８００Ａは、通信シート１００Ｃの識別情報を受信した場合、生徒Ｃが出席したと見做すことができる。また、端末装置８００Ａは、通信シート１００Ｄの識別情報を受信した場合、生徒Ｄが出席したと見做すことができる。
【０１６４】
このように、使用例１１は、通信シート１００Ｂ−１００Ｄと、第１の端末装置（端末装置８００Ｂ−Ｄ）と、第２の端末装置（端末装置８００Ａ）と、を備える通信システムに適用される。通信シート１００Ｂ−１００Ｄは、通信シート１００Ｂ−１００Ｄの識別情報を含むビーコン信号を発信する。第１の端末装置（端末装置８００Ｂ−８００Ｄ）は、通信シート１００Ｂ−１００Ｄと近接してビーコン信号を受信した場合、通信シート１００Ｂ−１００Ｄの識別情報を第２の端末装置（端末装置８００Ａ）に送信する。
【０１６５】
なお、通信シート１００Ｂが生徒Ｂの識別情報を含むビーコン信号を発信してもよい。この場合、端末装置８００Ｂは、生徒Ｂの識別情報をサーバ９００に送信し、サーバ９００は、生徒Ｂの識別情報を端末装置８００Ａに送信する。或いは、端末装置８００Ｂは、生徒Ｂの識別情報をサーバ９００に送信し、サーバ９００は、生徒Ｂが出席した旨の情報を端末装置８００Ａに送信する。或いは、端末装置８００Ｂは、生徒Ｂが出席した旨の情報をサーバ９００に送信し、サーバ９００は、生徒Ｂが出席した旨の情報を端末装置８００Ａに送信する。生徒Ｃや生徒Ｄについても生徒Ｂと同様である。
【０１６６】
このように、生徒の識別番号や生徒が出席した旨（生徒が端末装置を通信シート上に置いた旨）がサーバ９００から端末装置８００Ａに通知されると、端末装置８００Ａは、どの生徒が出席しているのかを特定することができる。このため、先生Ａは、自ら生徒の出欠を確認せずとも、端末装置８００Ａが表示する情報を参照することにより、生徒の出欠を確認することができる。なお、端末装置８００Ｂは、通信シート１００Ｂの識別情報、生徒Ｂの識別情報、或いは、生徒Ｂが出席した旨を、サーバ９００ではなく端末装置８００Ａに送信してもよい。端末装置８００Ｃや端末装置８００Ｄについても同様である。かかる構成であっても、先生Ａは、端末装置８００Ａが表示する内容を参照して、生徒の出欠を確認することができる。
【０１６７】
また、端末装置８００Ｂは、通信シート１００Ｂの識別情報や生徒Ｂの識別情報を通信シート１００Ｂから受信した場合、宿題の進捗状況を管理するアプリケーションを起動してもよい。これにより、生徒Ｂは、出席した旨だけでなく、宿題の進捗状況や回答を先生Ａに知らせることができる。また、先生Ａは、生徒Ｂの宿題の進捗状況に応じて、適当な宿題を生徒Ｂに与える（例えば、進捗状況に適したレベルの宿題のアプリケーションを端末装置８００Ｂにインストールさせる）ことができる。端末装置８００Ｃや端末装置８００Ｄについても同様である。
【０１６８】
また、先生Ａが通信シート１００Ａ上に端末装置８００Ａを置くと、端末装置８００Ａは通信シート１００Ａの識別情報や先生Ａの識別情報をサーバ９００に送信してもよい。一方、サーバ９００は、端末装置８００Ａから通信シート１００Ａの識別情報や先生Ａの識別情報を受信した場合、先生Ａ向けの情報を端末装置８００Ａに送信する。すると、端末装置８００Ａは、受信した先生Ａ向けの情報を表示する。また、サーバ９００は、端末装置８００Ｂから通信シート１００Ｂの識別情報や生徒Ｂの識別情報を受信した場合、生徒Ｂ向けの情報を端末装置８００Ｂに送信する。すると、端末装置８００Ｂは、受信した生徒Ｂ向けの情報を表示する。サーバ９００は、端末装置８００Ｃや端末装置８００Ｄに対しても、生徒Ｃ向けの情報や生徒Ｄ向けの情報を送信することができる。
【０１６９】
かかる構成によれば、出席者に応じた情報、或いは、出席者の権限に応じた情報を、出席者に閲覧させることができる。典型的には、生徒Ｂ−Ｄに同じ情報を閲覧させたり、生徒Ｂ−Ｄには閲覧できない情報を先生Ａに閲覧させたりすることができる。また、端末装置８００Ａは、通信シート１００Ａから通信シート１００Ａの識別情報や先生Ａの識別情報を受信している間のみ、先生Ａに上述した情報を閲覧させてもよい。端末装置８００Ｂ−Ｄについても同様である。
【０１７０】
（使用例１２）
使用例１１では、無線基板２０ＡＡを備える通信シート１００Ａなどを単体で用いる例について説明した。使用例１２では、無線基板２０ＡＡを備える通信シート１００Ａなどに加え、無線基板２０Ａなどを用いる例について説明する。使用例１２では、図１６に示すように、無線基板２０Ａ−２０Ｄと通信シート１００Ａ−１００Ｄと端末装置８００Ａ−８００Ｄとサーバ９００と処理装置９１０とが用いられる。
【０１７１】
無線基板２０ＡＡは、無線基板２０Ａと端末装置８００Ａとを通信シート１００Ａに置くことを促すメッセージ情報を含むビーコン信号を発信する。無線基板２０ＢＢは、無線基板２０Ｂと端末装置８００Ｂとを通信シート１００Ｂに置くことを促すメッセージ情報を含むビーコン信号を発信する。無線基板２０ＣＣは、無線基板２０Ｃと端末装置８００Ｃとを通信シート１００Ｃに置くことを促すメッセージ情報を含むビーコン信号を発信する。無線基板２０ＤＤは、無線基板２０Ｄと端末装置８００Ｄとを通信シート１００Ｄに置くことを促すメッセージ情報を含むビーコン信号を発信する。
【０１７２】
無線基板２０Ａは、無線基板２０Ａの識別情報を含むビーコン信号を発信する。無線基板２０Ｂは、無線基板２０Ｂの識別情報を含むビーコン信号を発信する。無線基板２０Ｃは、無線基板２０Ｃの識別情報を含むビーコン信号を発信する。無線基板２０Ｄは、無線基板２０Ｄの識別情報を含むビーコン信号を発信する。このように、無線基板２０Ａ−２０Ｄは、互いに異なる識別情報を含むビーコン信号を発信する。通信シート１００Ａ−１００Ｄは、ビーコン信号を伝達する機能を有する。
【０１７３】
まず、生徒Ｂが通信シート１００Ｂ上に端末装置８００Ｂを置くと、端末装置８００Ｂは、通信シート１００Ｂを介して、無線基板２０ＢＢが発信するビーコン信号を受信する。そして、端末装置８００Ｂは、通信シート１００Ｂ上に無線基板２０Ｂを置くことを促すメッセージ情報を画像表示又は音声出力する。ここで、生徒Ｂが通信シート１００Ｂ上に無線基板２０Ｂを置くと、端末装置８００Ｂは、通信シート１００Ｂを介して、無線基板２０Ｂが発信するビーコン信号を受信する。そして、端末装置８００Ｂは、受信したビーコン信号に含まれる無線基板２０Ｂの識別情報をサーバ９００に送信する。一方、サーバ９００は、無線基板２０Ｂの識別情報を、端末装置８００Ａに送信する。かかる構成によれば、端末装置８００Ａを所有する先生Ａは、生徒Ｂの出欠を確認することができる。同様に、無線基板２０Ｃや無線基板２０Ｄから発信されるビーコン信号により、先生Ａは、生徒Ｃや生徒Ｄの出欠を確認することができる。なお、無線基板２０Ａ−Ｄの識別情報に代えて、先生Ａや生徒Ｂ−Ｄの識別情報や先生Ａや生徒Ｂ−Ｄが出席した旨の情報が送受信されてもよい。
【０１７４】
また、先生Ａが通信シート１００Ａ上に端末装置８００Ａを置くと、端末装置８００Ａは、通信シート１００Ａを介して、無線基板２０ＡＡが発信するビーコン信号を受信する。そして、端末装置８００Ａは、通信シート１００Ａ上に無線基板２０Ａを置くことを促すメッセージ情報を画像表示又は音声出力する。ここで、先生Ａが通信シート１００Ａ上に無線基板２０Ａを置くと、端末装置８００Ａは、通信シート１００Ａを介して、無線基板２０Ａが発信するビーコン信号を受信する。そして、端末装置８００Ａは、受信したビーコン信号に含まれる無線基板２０Ａの識別情報をサーバ９００に送信する。一方、サーバ９００は、無線基板２０Ａの識別情報を受信した場合、先生Ａ向けの情報を端末装置８００Ａに送信する。すると、端末装置８００Ａは、受信した先生Ａ向けの情報を表示する。また、サーバ９００は、端末装置８００Ｂから無線基板２０Ｂの識別情報を受信した場合、生徒Ｂ向けの情報を端末装置８００Ｂに送信する。すると、端末装置８００Ｂは、受信した生徒Ｂ向けの情報を表示する。同様に、サーバ９００は、端末装置８００Ｃや端末装置８００Ｄに対しても、生徒Ｃ向けの情報や生徒Ｄ向けの情報を送信することができる。なお、無線基板２０Ａ−２０Ｄの識別情報に代えて、先生Ａや生徒Ｂ−Ｄの識別情報や先生Ａや生徒Ｂ−Ｄが出席した旨の情報が送受信されてもよい。
【０１７５】
なお、使用例１２では、無線基板２０Ａ−２０Ｄ同士に機能的な差異はあるが、通信シート１００Ａ−１００Ｄ同士に機能的な差異はない。例えば、生徒Ｂは、無線基板２０Ｂと端末装置８００Ｂとを通信シート１００Ｃ上においてもよい。かかる場合でも、端末装置８００Ｂは、通信シート１００Ｃを介して、無線基板２０Ｂが発信するビーコン信号を受信する。そして、端末装置８００Ｂは、受信したビーコン信号に含まれる無線基板２０Ｂの識別情報をサーバ９００に送信する。一方、サーバ９００は、無線基板２０Ｂの識別情報を、端末装置８００Ａに送信する。また、サーバ９００は、無線基板２０Ｂの識別情報を受信した場合、生徒Ｂ向けの情報を端末装置８００Ｂに送信する。
【０１７６】
なお、出欠の通知においては、端末装置８００Ｂ−８００Ｄ同士に機能的な差異はない。例えば、生徒Ｂは、無線基板２０Ｂとともに置くのであれば、端末装置８００Ａ−８００Ｄのいずれを置いてもよい。ただし、情報の閲覧においては、ビーコン信号に含まれる識別情報により特定されるユーザ向けの情報が、このユーザが所有する端末装置に送信される。従って、ユーザは、自分が所有する端末装置を用いることが好適である。
【０１７７】
このように、使用例１２は、通信装置（無線基板２０Ｂ−２０Ｄ）と、通信シート１００Ｂ−１００Ｄと、第１の端末装置（端末装置８００Ｂ−８００Ｄ）と、第２の端末装置（端末装置８００Ａ）と、を備える通信システムに適用される。第１の端末装置（端末装置８００Ｂ−８００Ｄ）は、通信シート１００Ｂ−１００Ｄと近接する位置に配置される。通信装置（無線基板２０Ｂ−２０Ｄ）は、通信装置（無線基板２０Ｂ−２０Ｄ）の識別情報を含むビーコン信号を発信する。第１の端末装置（端末装置８００Ｂ−８００Ｄ）は、通信装置（無線基板２０Ｂ−２０Ｄ）が通信シート１００Ｂ−１００Ｄと近接し、ビーコン信号を受信した場合、通信装置（無線基板２０Ｂ−２０Ｄ）の識別情報を第２の端末装置（端末装置８００Ａ）に送信する。
【０１７８】
使用例１２によれば、使用例１１よりも出欠の通知や情報の閲覧を実現するための自由度が高まることが期待できる。
【符号の説明】
【０１７９】
１０  第１のシート状導体、１１，１１ａ〜１１ｄ  線状導体、１２  固定部材、１３  除去孔、２０，２０Ａ−２０Ｄ，２０ＡＡ−２０ＤＤ，２４  無線基板、２１  ミアンダライン、２２  チップ、２３  中心線、２５  アンテナパターン、３０  第２のシート状導体、４０  金属テープ、５０  シート状電池、５１  導線、６０  誘電体、７０  保護フィルム、８０  侵出領域、９０  貫通孔、１００，１００Ａ−１００Ｄ，１１０，１２０，１３０，２００，３００，４００，５００，６００  通信シート、１５０Ａ−１５０Ｄ  机、７００  水槽、７１０−７１２  魚、７２０  看板、７３０  回転部材、７３１−７３３  領域、７３４  回転軸、７４０  収容ケース、７４１−７４３  板状部材、８００，８００ａ−８００ｄ  端末装置、８１０  タッチスクリーン、９００  サーバ、９０１  記憶装置、９１０  処理装置。
【図１】
0006692711.tif 000002
【図２】
0006692711.tif 000003
【図３】
0006692711.tif 000004
【図４】
0006692711.tif 000005
【図５】
0006692711.tif 000006
【図６】
0006692711.tif 000007
【図７】
0006692711.tif 000008
【図８】
0006692711.tif 000009
【図９】
0006692711.tif 000010
【図１０】
0006692711.tif 000011
【図１１】
0006692711.tif 000012
【図１２】
0006692711.tif 000013
【図１３】
0006692711.tif 000014
【図１４】
0006692711.tif 000015
【図１５】
0006692711.tif 000016
【図１６】
0006692711.tif 000017